(57)【特許請求の範囲】
【請求項１】
記録先ごとに割り当てて設定した映像音声データの記録レートとデータ格納先の記録位置とを含む記録位置管理情報を作成し、設定された記録レートに応じ映像音声データの転送先を切り替える伝送端末制御手段と、前記伝送端末制御手段において設定された映像音声データの記録レートに基づき入力映像音声データを再生可能なデータ単位で転送する端末を切り替え、一連の映像音声データを記録位置管理情報とともに複数の映像記録端末へ分散して転送するデータ制御手段と、を設けた映像伝送端末と、
前記映像伝送端末からの記録領域確保要求に基づき映像音声データの記録領域を確保し、自端末宛ての映像音声データを記録位置管理情報とともに受信して記録する映像記録制御手段と、前記映像伝送端末から転送された一連の映像音声データの全部をもしくは分散した一部を記録する蓄積手段と、を設けた複数の映像記録端末と、
を備えることを特徴とする映像記録再生システム。
【請求項２】
記録先ごとに割り当てて設定した映像音声データの記録レートを含みデータ格納先の記録位置を管理する記録位置管理情報を作成し、設定された記録レートに応じ映像音声データの転送先を切り替え指示する伝送端末制御手段を設け、前記伝送端末制御手段において設定された映像音声データの記録レートに基づき入力映像音声データを再生可能なデータ単位で転送する端末を切り替え、一連の映像音声データを記録位置管理情報とともに複数の映像記録端末へ分散して転送する映像伝送端末と、前記映像伝送端末からの記録領域確保要求に基づき映像音声データの記録領域を確保し、前記映像伝送端末による記録レートの設定が最大記録可能レートを超えている場合は他の映像記録端末へ転送し分散して一時記録するよう設定し、自端末宛ての映像音声データを記録位置管理情報とともに受信して記録し、記録中もしくは記録終了後に他端末に一時記録した映像音声データを再度受信して記録する映像記録制御手段を設け、前記映像伝送端末から転送された一連の映像音声データの全部をもしくは分散した一部を一時記録する複数の映像記録端末とを備えることを特徴とする映像記録再生システム。
【請求項３】
一連の映像音声データの管理情報を参照して指定された一連の映像音声データの一部を記録している再生可能な端末を識別し、管理情報に従って映像音声データを要求し、受信した映像音声データを管理情報に応じた順序で出力する映像表示制御手段を有する映像表示端末を備え、前記複数の映像記録端末の各映像記録制御手段はそれぞれ前記映像表示端末から要求された映像音声データを管理情報に従い読み出して前記映像表示端末に送信し、前記複数の映像記録端末に分散記録された一連の映像音声データを再生することを特徴とする請求項１または２記載の映像記録再生システム。
【請求項４】
前記映像伝送端末は、各映像記録端末との間の単位時間あたりの伝送可能容量の情報を収集し、単位時間あたりの伝送可能容量の比率に応じて端末ごとの記録レートを決定することを特徴とする請求項１ないし３のいずれかに記載の映像記録再生システム。
【請求項５】
前記映像伝送端末は、前記映像伝送端末および前記映像記録端末の記録可能容量の情報を収集し、記録可能容量の比率に応じて端末ごとの記録レートを決定することを特徴とする請求項１ないし３のいずれかに記載の映像記録再生システム。
【請求項６】
前記映像伝送端末は、各映像記録端末との間の単位時間あたりの伝送可能容量の情報を収集し、前記映像伝送端末および映像記録端末の記録可能容量の情報を収集し、単位時間あたりの伝送可能容量以下となる条件のもとで記録可能容量の比率に応じ端末ごとの記録レートを決定することを特徴とする請求項１ないし３のいずれかに記載の映像記録再生システム。
【請求項７】
前記映像記録端末は、記録されている映像音声データを他端末へ移動しもしくは消去するとき、一連の映像音声データを記録している他の映像記録端末へ記録位置管理情報の修正情報を送信して修正させ、移動もしくは削除の結果を前記一連の映像音声データを記録している映像記録端末に反映させることを特徴とする請求項１ないし６のいずれかに記載の映像記録再生システム。
【請求項８】
前記映像伝送端末からの記録要求に基づき記録に使用する映像記録端末を選択し、前記映像伝送端末から一連の映像音声データを受信し、データ格納先の記録位置を含む記録位置管理情報を作成し、前記選択した映像記録端末へ一連の映像音声データを転送して記録させる調停端末制御手段を有する映像記録調停端末を備え、前記映像伝送端末が複数の映像記録端末の存在を把握することなく、前記映像記録調停端末に対し映像音声データの記録要求または再生要求を送信することによりその分散記録または再生を行うことを特徴とする請求項１ないし７のいずれかに記載の映像記録再生システム。
【請求項９】
前記映像伝送端末からの記録要求に基づき記録に使用する映像記録端末を選択し、前記映像伝送端末から一連の映像音声データを受信し、データ格納先の記録位置を含む記録位置管理情報および課金情報を作成し、前記選択した映像記録端末へ一連の映像音声データを転送して記録させる調停端末制御手段を有する映像記録調停端末を備え、前記映像伝送端末が複数の映像記録端末の存在を把握することなく、前記映像記録調停端末に対し映像音声データの記録要求または再生要求を送信することによりその分散記録または再生を行い、併せて課金を行うことを特徴とする請求項１ないし７のいずれかに記載の映像記録再生システム。
【請求項１０】
映像音声データの送信端末側においては、映像音声データの記録レートの割り当てを記録先ごとに設定するステップと、データ格納先の記録位置を含む記録位置管理情報を作成するステップと、設定された記録レートに基づき映像音声データの転送先を再生可能なデータ単位で切り替えるステップと、一連の映像音声データを記録位置管理情報とともに複数の受信端末側へ分散して転送するステップとを備え、映像音声データの受信端末側においては、記録領域確保要求に基づき映像音声データの記録領域を確保するステップと、自端末宛ての映像音声データを記録位置管理情報とともに受信して記録するステップとを備え、一連の映像音声データを複数の端末に分散して記録することを特徴とする映像記録再生方法。
【請求項１１】
映像音声データの送信端末側においては、映像音声データの記録レートの割り当てを設定するステップと、データ格納先の記録位置を管理する記録位置管理情報を作成するステップと、設定された記録レートに基づき映像音声データの転送先を再生可能なデータ単位で切り替えるステップと、設定された映像音声データの記録レートに基づき入力映像音声データを転送する端末を切り替えるステップと、一連の映像音声データを記録位置管理情報とともに複数の受信端末へ分散して転送するステップとを備え、映像音声データの受信端末側においては、記録領域確保要求に基づき映像音声データの記録領域を確保するステップと、前記映像伝送端末による記録レートの設定が最大記録可能レートを超えている場合は他の受信端末へ転送し分散して一時記録するよう設定するステップと、自端末宛ての映像音声データを記録位置管理情報とともに受信して記録するステップと、記録中もしくは記録終了後に他端末に分散して一時記録した映像音声データを再度受信して記録するステップとを備え、一連の映像音声データを複数の端末に分散して一時記録することを特徴とする映像記録再生方法。
【請求項１２】
前記送信端末側においては、要求された映像音声データを管理情報に従い読み出して送信するステップを備え、前記受信端末側においては、一連の映像音声データの管理情報を参照するステップと、指定した一連の映像音声データの一部を記録している再生可能な端末を識別するステップと、管理情報に従い映像音声データを要求するステップと、受信した映像音声データを管理情報に従う順序で出力するステップとを備え、複数の映像記録端末に分散して記録された一連の映像音声データを再生することを特徴とする請求項１０または１１記載の映像記録再生方法。
【請求項１３】
前記送信端末側において、送信端末と各受信端末との間の単位時間あたりの伝送可能容量の情報を収集するステップと、単位時間あたりの伝送可能容量の比率に応じて端末ごとの記録レートを決定するステップとを備えることを特徴とする請求項１０または１１記載の映像記録再生方法。
【請求項１４】
前記送信端末側において、各受信端末の記録可能容量の情報を収集するステップと、記録可能容量の比率に応じて端末ごとの記録レートを決定するステップとを備えることを特徴とする請求項１０または１１記載の映像記録再生方法。
【請求項１５】
前記送信端末側において、送信端末と各受信端末との間の単位時間あたりの伝送可能容量の情報を収集するステップと、各受信端末の記録可能容量の情報を収集するステップと、単位時間あたりの伝送可能容量以下となる条件のもとで記録可能容量の比率に応じて端末毎の記録レートを決定するステップとを備えることを特徴とする請求項１０または１１記載の映像記録再生方法。
【請求項１６】
前記受信端末側において、記録されている映像音声データを他端末へ移動しもしくは消去するとき、一連の映像音声データを記録している他の端末へ記録位置管理情報の修正情報を送信して修正させるステップを備え、移動もしくは削除の結果を一連の映像音声データを記録している端末に反映させることを特徴とする請求項１０ないし１５のいずれかに記載の映像記録再生方法。
【請求項１７】
前記受信端末側において、送信端末側からの記録要求に基づき記録に使用する端末を選択するステップと、一連の映像音声データを受信するステップと、データ格納先の記録位置を含む記録位置管理情報を作成するステップと、前記選択した端末へ一連の映像音声データを転送して記録させるよう調停するステップとを備え、送信端末が複数の受信端末の存在を把握することなく、映像音声データの記録要求または再生要求を送信することにより分散記録または再生を行うことを特徴とする請求項１０ないし１６のいずれかに記載の映像記録再生方法。
【請求項１８】
前記受信端末側において、送信端末側からの記録要求に基づき記録に使用する端末を選択するステップと、一連の映像音声データを受信するステップと、データ格納先の記録位置を含む記録位置管理情報および課金情報を作成するステップと、課金情報を記録要求端末に送信するステップと、前記選択した端末へ一連の映像音声データを転送して記録させるよう調停するステップとを備え、送信端末が複数の映像記録端末の存在を把握することなく、映像音声データの記録要求または再生要求を送信することにより分散記録または再生を行い、併せて課金を行うことを特徴とする請求項１０ないし１６のいずれかに記載の映像記録再生方法。
【請求項１９】
コンピュータを請求項１ないし９のいずれかに記載の映像記録再生システムの各構成手段として機能させるためのプログラム。
【請求項２０】
コンピュータに請求項１０ないし１８のいずれかに記載の映像記録再生方法の各構成手順を実行させるためのプログラム。
【請求項２１】
コンピュータを請求項１ないし９のいずれかに記載の映像記録再生システムの各構成手段として機能させるためのプログラムを記録したコンピュータ読み取り可能な記録媒体。
【請求項２２】
コンピュータに請求項１０ないし１８のいずれかに記載の映像記録再生方法の各構成手順を実行させるためのプログラムを記録したコンピュータ読み取り可能な記録媒体。
【発明の詳細な説明】
【０００１】
【発明の属する技術分野】
本発明は、遠隔端末に分散して映像音声データを記録および再生する映像音声記録再生システムおよびその方法に関するものである。
【０００２】
【従来の技術】
従来、映像記録再生システムは特開平１１−２０５７８１号公報、特開平１１−２８４９８７号公報、特開平１０−３０４４７５号公報に記載されたものが知られている。また、図２１は従来の映像記録再生システムの構成を示すものであり、映像音声データを記録し、一部の映像音声データを映像表示端末へ送信する映像記録端末２１００、映像音声データを伝送する媒体である伝送手段４００、映像音声データを受信して表示する映像表示端末２１１０、カメラなどの映像もしくは音声を取得して出力する映像出力手段５００、映像の表示もしくは音声を表示する映像表示手段６００により構成される。さらに、映像記録端末２１００は入力された映像音声を蓄積手段２１０２および伝送手段４００へ転送するデータ制御手段２１０１、映像音声データを記録する蓄積手段２１０２により構成される。また、映像表示端末２１１０は映像音声データを伝送手段４００を介して受信し、映像表示手段６００へ出力するデータ制御手段２１１１から構成される。図２２は映像記録端末２１００における映像音声データの流れの概念を示すものである。
【０００３】
次に、図２１、図２２を参照して、上記従来の映像記録再生システムについて説明する。まず映像音声データの送信元である映像記録端末２１００は、映像出力手段５００から入力された映像音声データをデータ制御手段２１０１が受信し、図２２のように自端末の蓄積手段２１０２に記録する。データの記録単位は１フレームとする。また、図２２のようにデータ制御手段２１０１は映像表示端末２１１０へ宛てて規定のフレーム間隔ごとに伝送手段４００へ映像音声データを送出する。受信側の映像表示端末２１１０では、フレームを間引きした映像音声データをデータ制御手段２１１１が受信し、映像表示手段６００へ出力する。映像表示手段６００は映像表示端末２１１０から出力された映像音声を表示する。映像表示端末２１１０では、フレーム欠けがありながらもほぼリアルタイムに映像を参照することができる。また、映像記録端末２１００に一旦記録された映像音声データは、映像表示端末２１１０からの要求に従い、データ制御手段２１０１が映像記録端末２１００に含まれる蓄積手段２１０２から読み出し、映像表示端末２１１０へ送信することによって映像表示端末２１１０で再生することができる。
【０００４】
また、別の従来の映像記録再生システムとしては、送信側の映像記録端末２１００で一旦映像音声データを蓄積し、伝送手段４００で十分伝送可能な伝送レートとなるようにデータをブロック化して伝送する。送信できないデータは蓄積手段２１０２に記録しておく。受信側の映像表示端末２１１０ではブロック化されたデータを一旦蓄積手段に記録し、映像音声データを再構築してから表示する。伝送手段４００の伝送可能な容量に応じてブロック化データを間引いて伝送させることもできる。
【０００５】
【発明が解決しようとする課題】
しかしながら、上記従来の映像記録再生システムにおいては、映像音声データの送出側である映像記録端末の蓄積手段ですべての映像音声データを蓄積する。そのため、複数の映像出力手段が映像記録端末に接続され、複数の一連の映像音声データを同時記録する場合、同時に記録できる数は映像記録端末の蓄積手段によって記録可能な単位時間あたりの記録容量、すなわち蓄積手段で実現可能な記録レートによって制限されるという問題があった。また、１端末ですべての映像音声データを記録するので、映像音声データが記録されている映像記録端末が故障するとすべての映像音声データが参照できなくなるという問題があった。
【０００６】
本発明は、上記従来の問題を解決するためになされたもので、１端末の蓄積媒体への最大記録可能レートに制限されずに複数の映像出力手段からの映像音声データを記録可能であり、また映像音声データが記録されている端末が故障しても全データが参照できなくなることのない優れた映像記録再生システムおよび方法を提供するものである。
【０００７】
さらに、映像記録端末の記録容量もしくは映像記録端末への伝送可能レートのいずれかにより生じるかもしれない映像音声データの消失を抑えた優れた映像記録再生システムを提供するものである。
【０００８】
【課題を解決するための手段】
本発明における映像記録再生システムは、記録先ごとに割り当てて設定した映像音声データの記録レートとデータ格納先の記録位置とを含む記録位置管理情報を作成し、設定された記録レートに応じ映像音声データの転送先を切り替える伝送端末制御手段と、前記伝送端末制御手段において設定された映像音声データの記録レートに基づき入力映像音声データを再生可能なデータ単位で転送する端末を切り替え、一連の映像音声データを記録位置管理情報とともに複数の映像記録端末へ分散して転送するデータ制御手段と、を設けた映像伝送端末と、前記映像伝送端末からの記録領域確保要求に基づき映像音声データの記録領域を確保し、自端末宛ての映像音声データを記録位置管理情報とともに受信して記録する映像記録制御手段と、前記映像伝送端末から転送された一連の映像音声データの全部をもしくは分散した一部を記録する蓄積手段と、を設けた複数の映像記録端末と、を備えるという構成を有している。この構成により、一連の映像音声データを複数の端末で分散して記録でき、一端末ですべてを記録するよりも一端末あたりの蓄積手段への単位時間あたりの記録量を抑制して多くの映像音声入力を記録することができる。また、一端末の故障によって全データが消失もしくは参照ができなくなる確率を下げ、データ保存および伝送に対する信頼性を向上させることができる。
【０００９】
本発明における映像記録再生システムは、記録先ごとに割り当てて設定した映像音声データの記録レートを含みデータ格納先の記録位置を管理する記録位置管理情報を作成し、設定された記録レートに応じ映像音声データの転送先を切り替え指示する伝送端末制御手段を設け、前記伝送端末制御手段において設定された映像音声データの記録レートに基づき入力映像音声データを再生可能なデータ単位で転送する端末を切り替え、一連の映像音声データを記録位置管理情報とともに複数の映像記録端末へ分散して転送する映像伝送端末と、前記映像伝送端末からの記録領域確保要求に基づき映像音声データの記録領域を確保し、前記映像伝送端末による記録レートの設定が最大記録可能レートを超えている場合は他の映像記録端末へ転送し分散して一時記録するよう設定し、自端末宛ての映像音声データを記録位置管理情報とともに受信して記録し、記録中もしくは記録終了後に他端末に一時記録した映像音声データを受信して記録する映像記録制御手段を設け、前記映像伝送端末から転送された一連の映像音声データの全部をもしくは分散した一部を一時記録する複数の映像記録端末とを備えるという構成を有している。この構成により、主映像記録端末の記録可能レートを超える記録要求があっても他の映像記録端末で一時記録することで一連の映像音声データを漏れなくリアルタイムで記録することができる。
【００１０】
本発明における映像記録再生システムは、一連の映像音声データの管理情報を参照して指定された一連の映像音声データの一部を記録している再生可能な端末を識別し、管理情報に従って映像音声データを要求し、受信した映像音声データを管理情報に応じた順序で出力する映像表示制御手段を有する映像表示端末を備え、前記複数の映像記録端末の各映像記録制御手段はそれぞれ前記映像表示端末から要求された映像音声データを管理情報に従い読み出して前記映像表示端末に送信し、前記複数の映像記録端末に分散記録された一連の映像音声データを再生するという構成を有している。この構成により、複数の端末に記録された一連の映像音声データを収集しながら一端末で再生することができる。また、一部の端末のデータが消失もしくは転送できない状況下でも、一部のデータ欠けが発生しつつも全データを消失することなく再生でき、映像音声データ再生の信頼性を向上させることができる。
【００１１】
本発明における映像記録再生システムは、前記映像伝送端末が、各映像記録端末との間の単位時間あたりの伝送可能容量の情報を収集し、単位時間あたりの伝送可能容量の比率に応じて端末ごとの記録レートを決定するという構成を有している。この構成により、データ伝送時における伝送レート超過によるデータ消失を防ぎ漏れなく映像音声データを記録することができる。
【００１２】
本発明における映像記録再生システムは、前記映像伝送端末が、前記映像伝送端末および前記映像記録端末の記録可能容量の情報を収集し、記録可能容量の比率に応じて端末ごとの記録レートを決定するという構成を有している。この構成により、記録容量不足によるデータ消失を防ぎ漏れなく映像音声データを記録することができる。
【００１３】
本発明における映像記録再生システムは、前記映像伝送端末が、各映像記録端末との間の単位時間あたりの伝送可能容量の情報を収集し、前記映像伝送端末および映像記録端末の記録可能容量の情報を収集し、単位時間あたりの伝送可能容量以下となる条件のもとで記録可能容量の比率に応じ端末ごとの記録レートを決定するという構成を有している。この構成により、記録容量不足と伝送レート超過によるデータ消失を防ぎ漏れなく映像音声データを記録することができる。
【００１４】
本発明における映像記録再生システムは、前記映像記録端末が、記録されている映像音声データを他端末へ移動しもしくは消去するとき、一連の映像音声データを記録している他の映像記録端末へ記録位置管理情報の修正情報を送信して修正させ、移動もしくは削除の結果を前記一連の映像音声データを記録している映像記録端末に反映させるという構成を有している。この構成により、映像記録再生システムに存在する映像記録端末間の管理情報の不整合を生じることなくデータの移動もしく削除を行い、映像音声データを参照することができる。
【００１５】
本発明における映像記録再生システムは、前記映像伝送端末からの記録要求に基づき記録に使用する映像記録端末を選択し、前記映像伝送端末から一連の映像音声データを受信し、データ格納先の記録位置を含む記録位置管理情報を作成し、前記選択した映像記録端末へ一連の映像音声データを転送して記録させる調停端末制御手段を有する映像記録調停端末を備え、前記映像伝送端末が複数の映像記録端末の存在を把握することなく、前記映像記録調停端末に対し映像音声データの記録要求または再生要求を送信することによりその分散記録または再生を行うという構成を有している。この構成により、映像伝送端末もしくは映像表示端末は映像記録再生システムにおける映像記録端末の追加、削減といった情報を収集し、複数の映像記録端末を管理することなく、映像伝送端末が複数の映像記録端末の存在を把握することなく、映像記録調停端末のみに記録もしくは再生要求することにより記録もしくは再生を行うことができる。また、個々の映像記録端末は映像記録再生システムに接続されたすべての映像伝送端末、映像表示端末に自らの存在を伝えることなく、映像記録調停手段に登録するだけで、任意の映像伝送端末もしくは映像表示端末に対して記録または再生のために自端末を使用させることができる。
【００１６】
本発明における映像記録再生システムは、前記映像伝送端末からの記録要求に基づき記録に使用する映像記録端末を選択し、前記映像伝送端末から一連の映像音声データを受信し、データ格納先の記録位置を含む記録位置管理情報および課金情報を作成し、前記選択した映像記録端末へ一連の映像音声データを転送して記録させる調停端末制御手段を有する映像記録調停端末を備え、前記映像伝送端末が複数の映像記録端末の存在を把握することなく、前記映像記録調停端末に対し映像音声データの記録要求または再生要求を送信することによりその分散記録または再生を行い、併せて課金を行うという構成を有している。この構成により、映像伝送端末もしくは映像表示端末は映像記録再生システムにおける映像記録端末の追加、削減といった情報を収集し、複数の映像記録端末を管理することなく、映像記録調停端末のみに記録もしくは再生要求することにより記録もしくは再生を行うことができる。また、個々の映像記録端末は映像記録再生システムに接続されたすべての映像伝送端末、映像表示端末に自らの存在を伝えることなく、映像記録調停手段に登録するだけで、任意の映像伝送端末もしくは映像表示端末に対して記録または再生のために自端末を使用させ、課金を行うことができる。
【００１７】
本発明における映像記録再生方法は、映像音声データの送信端末側においては、映像音声データの記録レートの割り当てを記録先ごとに設定するステップと、データ格納先の記録位置を含む記録位置管理情報を作成するステップと、設定された記録レートに基づき映像音声データの転送先を再生可能なデータ単位で切り替えるステップと、一連の映像音声データを記録位置管理情報とともに複数の受信端末側へ分散して転送するステップとを備え、映像音声データの受信端末側においては、記録領域確保要求に基づき映像音声データの記録領域を確保するステップと、自端末宛ての映像音声データを記録位置管理情報とともに受信して記録するステップとを備え、一連の映像音声データを複数の端末に分散して記録するという構成を有している。この構成により、一連の映像音声データを複数の端末で分散して記録でき、一端末ですべてを記録するよりも一端末あたりの蓄積手段への単位時間あたりの記録量を抑制して、多くの映像音声入力を記録することができる。また、一端末の故障によって全データが消失もしくは参照ができなくなる確率を下げ、データ保存および伝送に対する信頼性を向上させることができる。
【００１８】
本発明における映像記録再生方法は、映像音声データの送信端末側においては、映像音声データの記録レートの割り当てを設定するステップと、データ格納先の記録位置を管理する記録位置管理情報を作成するステップと、設定された記録レートに基づき映像音声データの転送先を再生可能なデータ単位で切り替えるステップと、設定された映像音声データの記録レートに基づき入力映像音声データを転送する端末を切り替えるステップと、一連の映像音声データを記録位置管理情報とともに複数の受信端末へ分散して転送するステップとを備え、映像音声データの受信端末側においては、記録領域確保要求に基づき映像音声データの記録領域を確保するステップと、前記映像伝送端末による記録レートの設定が最大記録可能レートを超えている場合は他の受信端末へ転送し分散して一時記録するよう設定するステップと、自端末宛ての映像音声データを記録位置管理情報とともに受信して記録するステップと、記録中もしくは記録終了後に他端末に分散して一時記録した映像音声データを受信して記録するステップとを備え、一連の映像音声データを複数の端末に分散して一時記録するという構成を有している。この構成により、主映像記録端末の記録可能レートを超える記録要求があっても他の映像記録端末で一時記録することにより一連の映像音声データを漏れなくリアルタイムで記録することができる。
【００１９】
本発明における映像記録再生方法は、前記送信端末側においては、要求された映像音声データを管理情報に従い読み出して送信するステップを備え、前記受信端末側においては、一連の映像音声データの管理情報を参照するステップと、指定した一連の映像音声データの一部を記録している再生可能な端末を識別するステップと、管理情報に従い映像音声データを要求するステップと、受信した映像音声データを管理情報に従う順序で出力するステップとを備え、複数の映像記録端末に分散して記録された一連の映像音声データを再生するという構成を有している。この構成により、複数の端末に記録された一連の映像音声データを収集しながら一端末で再生することができる。また、一部の端末のデータが消失もしくは転送できない状況下でも、一部のデータ欠けが発生しても全データを消失することなく再生でき、映像音声データ再生の信頼性を向上させることができる。
【００２０】
本発明における映像記録再生方法は、前記送信端末側において、送信端末と各受信端末との間の単位時間あたりの伝送可能容量の情報を収集するステップと、単位時間あたりの伝送可能容量の比率に応じて端末ごとの記録レートを決定するステップとを備えるという構成を有している。この構成により、データ伝送時における伝送レート超過によるデータ消失を防ぎ漏れなく映像音声データを漏れなく記録することができる。
【００２１】
本発明における映像記録再生方法は、前記送信端末側において、各受信端末の記録可能容量の情報を収集するステップと、記録可能容量の比率に応じて端末ごとの記録レートを決定するステップとを備えるという構成を有している。この構成により、記録容量不足によるデータ消失を防ぎ漏れなく映像音声データを記録することができる。
【００２２】
本発明における映像記録再生方法は、前記送信端末側において、送信端末と各受信端末との間の単位時間あたりの伝送可能容量の情報を収集するステップと、各受信端末の記録可能容量の情報を収集するステップと、単位時間あたりの伝送可能容量以下となる条件のもとで記録可能容量の比率に応じて端末毎の記録レートを決定するステップとを備えるという構成を有している。この構成により、記録容量不足と伝送レート超過によるデータ消失を防ぎ漏れなく映像音声データを記録することができる。
【００２３】
本発明における映像記録再生方法は、前記受信端末側において、記録されている映像音声データを他端末へ移動しもしくは消去するとき、一連の映像音声データを記録している他の端末へ記録位置管理情報の修正情報を送信して修正させるステップを備え、移動もしくは削除の結果を一連の映像音声データを記録している端末に反映させるという構成を有している。この構成により、映像記録再生システムに存在する映像記録端末間の管理情報の不整合を生じることなくデータの移動もしく削除を行い、映像音声データを参照することができる。
【００２４】
本発明における映像記録再生方法は、前記受信端末側において、送信端末側からの記録要求に基づき記録に使用する端末を選択するステップと、一連の映像音声データを受信するステップと、データ格納先の記録位置を含む記録位置管理情報を作成するステップと、前記選択した端末へ一連の映像音声データを転送して記録させるよう調停するステップとを備え、送信端末が複数の受信端末の存在を把握することなく、映像音声データの記録要求または再生要求を送信することにより分散記録または再生を行うという構成を有している。この構成により、映像伝送端末もしくは映像表示端末は映像記録再生システムにおける映像記録端末の追加、削減といった情報を収集し、複数の映像記録端末を管理することなく、映像記録調停端末のみに記録もしくは再生要求することにより記録もしくは再生を行うことができる。また、個々の映像記録端末は映像記録再生システムに接続されたすべての映像伝送端末、映像表示端末に自らの存在を伝えることなく、映像記録調停手段に登録するだけで、任意の映像伝送端末もしくは映像表示端末に対して記録または再生のために自端末を使用させることができる。
【００２５】
本発明における映像記録再生方法は、前記受信端末側において、送信端末側からの記録要求に基づき記録に使用する端末を選択するステップと、一連の映像音声データを受信するステップと、データ格納先の記録位置を含む記録位置管理情報および課金情報を作成するステップと、課金情報を記録要求端末に送信するステップと、前記選択した端末へ一連の映像音声データを転送して記録させるよう調停するステップとを備え、送信端末が複数の映像記録端末の存在を把握することなく、映像音声データの記録要求または再生要求を送信することにより分散記録または再生を行い、併せて課金を行うという構成を有している。この構成により、映像伝送端末もしくは映像表示端末は映像記録再生システムにおける映像記録端末の追加、削減といった情報を収集し、複数の映像記録端末を管理することなく、映像記録調停端末のみに記録もしくは再生要求することにより記録もしくは再生を行うことができる。また、個々の映像記録端末は映像記録再生システムに接続されたすべての映像伝送端末、映像表示端末に自らの存在を伝えることなく、映像記録調停手段に登録するだけで、任意の映像伝送端末もしくは映像表示端末に対して記録または再生のために自端末の使用させ、課金を行うことができる。
【００２６】
本発明におけるプログラムは、コンピュータを請求項１ないし９のいずれかに記載の映像記録再生システムの各構成手段として機能させるという構成を有している。この構成により、一連の映像音声データを再生可能な最小単位で複数の映像記録端末に分散して記録することにより、１端末の蓄積媒体への最大記録可能レートに制限されずに複数の映像出力手段からの映像音声データを記録でき、映像音声データが記録されている端末が故障しても全データが参照できなくなる可能性を抑制することができる。
【００２７】
本発明におけるプログラムは、コンピュータに請求項１０ないし１８のいずれかに記載の映像記録再生方法の各構成手順を実行させるという構成を有している。この構成により、一連の映像音声データを再生可能な最小単位で複数の映像記録端末に分散して記録することにより、１端末の蓄積媒体への最大記録可能レートに制限されずに複数の映像出力手段からの映像音声データを記録でき、映像音声データが記録されている端末が故障しても全データが参照できなくなる可能性を抑制することができる。
【００２８】
本発明におけるプログラムを記録した記録媒体は、コンピュータを請求項１ないし９のいずれかに記載の映像記録再生システムの各構成手段として機能させるためのプログラムを記録したという構成を有している。この構成により、一連の映像音声データを再生可能な最小単位で複数の映像記録端末に分散して記録することにより、１端末の蓄積媒体への最大記録可能レートに制限されずに、複数の映像出力手段からの映像音声データを記録でき、映像音声データが記録されている端末が故障しても全データが参照できなくなる可能性を抑制することができる。
【００２９】
本発明におけるプログラムを記録した記録媒体は、コンピュータに請求項１０ないし１８のいずれかに記載の映像記録再生方法の各構成手順を実行させるためのプログラムを記録したという構成を有している。この構成により、一連の映像音声データを再生可能な最小単位で複数の映像記録端末に分散して記録することにより、１端末の蓄積媒体への最大記録可能レートに制限されずに複数の映像出力手段からの映像音声データを記録でき、映像音声データが記録されている端末が故障しても全データが参照できなくなる可能性を抑制することができる。
【００３０】
【発明の実施の形態】
以下、添付図面に基づき、本発明の第１ないし第９の実施の形態を詳細に説明する。
（第１の実施の形態）
まず、図１ないし図６を参照して、本発明の第１の実施の形態における映像記録再生システムについて説明する。最初、図１により、本実施の形態における映像記録再生システムの構成を説明する。図１に示す映像記録再生システムは、映像音声データを伝送手段４００へ出力する映像伝送端末１１１, １１２、映像音声データの一部もしくはすべてを受信して記録する映像記録端末２１１, ２１２、１台以上の映像伝送端末および１台以上の映像記録端末が接続されて端末間のデータ伝送を行う媒体である伝送手段４００、映像もしくは音声を取得して出力する映像出力手段５１１, ５１２により構成される。図１では、映像伝送端末、映像記録端末ともに２台が接続されている様子を示しているが、１台以上の任意の台数が接続されてよい。映像出力手段５００は、例えばビデオカメラなどの撮像手段を備えたものである。また、伝送手段４００は例えばＩＰ（インターネットプロトコル）に基づくＬＡＮあるいはＷＡＮで構成され、イーサネット、ＩＥＥＥ１３９４、インターネット等のいずれかもしくはそれらを複合した伝送媒体によって実現されるネットワークである。
【００３１】
次に、図２のブロック図を参照して、本発明の第１の実施の形態における映像伝送端末および映像記録端末の構成を説明する。映像伝送端末１００および映像記録端末２００は、入力したデータを一旦蓄積して指示された先に出力するデータ制御手段１０１および２０１、データを保存する蓄積手段１０２および２０２、映像音声データ送信先の切り替え指示を出して記録先を制御する伝送端末制御手段１０３、伝送手段４００を介して受信した映像音声データを自端末の蓄積手段への記録を制御する記録端末制御手段２０３により構成される。また、映像伝送端末１００には１台以上の映像出力手段を接続することができるが、図２の例では３台の映像出力手段５１１ないし５１３が接続される例を示す。
【００３２】
なお、映像伝送端末１００は録画を設定し、他端末に対し記録に関する指示を出し、映像音声データを送信する端末であり、映像記録端末２００は他端末からの指示により転送されてきた映像音声データを記録する端末である。映像伝送端末１００および映像記録端末２００は両方の機能を備えるようにしてもよい。
【００３３】
次に、図１ないし図４を参照して、本発明の第１の実施の形態における映像記録再生システムの動作を説明する。まず、図１ないし図３を参照して、映像伝送端末１００の制御手順について説明する。まず、伝送端末制御手段１０３は、録画準備の制御として、操作者により設定された情報を含む録画設定情報に基づき、各端末への記録準備の要求を送信する（ステップＳ３０１、以下ステップの文字は省略する）。録画設定情報には、少なくとも記録時間や記録容量などの録画終了条件、記録に使用する端末、端末ごとの記録レートが含まれる。要求を受信した映像記録端末２００は記録領域の確保および記録パターンの設定を行い、記録準備完了を送信する。また、映像伝送端末１００が自端末でも記録を行う場合は、蓄積手段１０２の空き容量の中から記録領域を確保する。また、蓄積手段１０２への単位時間あたりの記録容量、すなわち記録レートを確保し、受信した映像音声データを前に確保した記録レートで記録できることを保障する。全使用端末の記録準備が完了すると、使用端末ごとの映像音声データの記録パターンを確定し、録画準備を完了する（Ｓ３０２）。記録パターンとは、データ送信先を切り替えるタイミングの設定である。
【００３４】
次に、伝送端末制御手段１０３は、録画制御として、映像記録端末２００に対し記録開始を通知する（Ｓ３０３）。さらに伝送端末制御手段１０３はデータ制御手段１０１に対し特定の映像出力手段５００からのデータ受信を指示する（Ｓ３０４）。データ制御手段１０１は、映像出力手段５００から送られた映像音声を受信する。データ制御手段１０１で扱うデータはディジタル化された映像音声データとし、ＪＰＥＧなどのフレーム内圧縮もしくはＭＰＥＧなどのフレーム間圧縮されたデータでも良い。データ制御手段１０１で扱うデータの単位は、単体で再生可能な映像音声データの塊とし、１フレームもしくは複数フレームからなる映像記録単位で行うことが望ましい。映像記録単位は、ＭＰＥＧの場合には１または複数のＧＯＰ(Group of Pictures）単位でもよい。映像出力手段５００から出力された映像音声がアナログ信号ならば、データ制御手段１０１との間にディジタル化して圧縮する手段を設けてもよい。伝送端末制御手段１０３は、データ制御手段１０１からのデータ受信量の通知を受け、映像音声データの受信データ量が記録パターンで規定された量に達したか否かを判定する（Ｓ３０５）。
【００３５】
映像音声データの受信データ量が記録パターンで規定された量に達した場合には、映像記録単位の記録先である蓄積手段１０２の空き領域中の記録位置、もしくは映像記録端末２００を特定して管理情報を生成する（Ｓ３０６）。さらに、データ制御手段１０１に対して蓄積手段１０２もしくは映像記録端末２００へのデータ送信指示を行う。自端末の蓄積手段１０２へ転送する場合は、映像音声データを蓄積手段１０２の特定した記録位置へ記録するように指示し（Ｓ３０７）、管理情報をデータ制御手段１０１へ送信し蓄積手段１０２に記録するよう指示する（Ｓ３０８）。映像記録端末２００へ転送する場合には、管理情報をデータ制御手段１０１へ送信して映像記録端末２００への送信を指示し（Ｓ３０８）、映像音声データを映像記録端末２００へ送信するよう指示する（Ｓ３０９）。
【００３６】
データ制御手段１０１は伝送端末制御手段１０３からの指示に従い、指定出力先へ映像音声データおよび管理情報を転送する。以降、映像音声データの入力から映像記録端末２００もしくは蓄積手段１０２への転送までを録画終了まで繰り返す。伝送端末制御手段１０３は、録画終了条件が満たされたとき、データ制御手段１０１に対してデータ転送の停止を指示し、自端末での記録を停止する（Ｓ３１０）。また、伝送手段４００を経由して映像記録端末２００へ記録停止要求を送信する（Ｓ３１１）。記録停止要求を受信した映像記録端末２００は映像伝送端末１００からのデータ受信および蓄積手段２０２への記録を停止する。以上の方法によって、１つの映像出力手段から入力された一連の映像音声データすなわち映像音声コンテンツが記録される。他の映像出力手段からの入力、すなわち複数の映像音声コンテンツを同時に記録する場合には、各コンテンツについて上記同様の手順を経ることによって記録される。
【００３７】
次に、図１および図２と、主に図４を参照して、映像記録端末２００の制御手順を説明する。まず、映像記録端末２００の記録端末制御手段２０３は、映像伝送端末１００から伝送手段４００を介して記録準備要求を受信する。記録端末制御手段２０３は要求内容に基づき、自端末での記録領域を算出して確保し、蓄積手段２０２への単位時間当たりの記録容量（記録レート）を確保し、受信した映像音声データを前に確保した記録レートで記録できることを保障する。また、映像伝送端末１００からの映像音声データ及び管理情報の受信を準備し、可能な記録容量を映像伝送端末１００に送信して録画準備を完了する（Ｓ４０１）。映像記録端末２００は記録領域確保時に他端末向けの映像音声データを記録する領域も併せて確保し、一連の映像音声データを全て記録できる領域を確保する。記録端末制御手段２０３は記録開始要求を受信すると、データ制御手段２０１へ受信開始を指示する（Ｓ４０２）。
【００３８】
映像伝送端末１００からの映像音声データおよび管理情報の送信が開始されると、映像伝送端末１００からの映像音声データおよび管理情報を受信し、データ制御手段２０１へ転送される。記録端末制御手段２０３はデータ制御手段２０１に一定量の映像音声データの記録単位ごとに蓄積手段２０３への転送判定を行う（Ｓ４０３）。一定量受信すると、記録端末制御手段２０３は受信した管理情報に基づき自端末に記録されたデータを管理するための管理情報を生成する（Ｓ４０４）。記録端末制御手段２０３はデータ制御手段２０１に指示し、受信した映像音声データを蓄積手段２０３の確保した領域へ記録する（Ｓ４０５）。また、管理情報をデータ制御手段２０１へ転送し、蓄積手段２０３へ記録する（Ｓ４０６）。管理情報および映像音声データは蓄積手段２０３の記録領域の中のそれぞれ専用の領域へ記録する。以上のデータ受信から蓄積手段２０２までの記録を記録停止通知の受信まで繰り返す。記録停止通知を受信すると、記録停止指示をデータ制御手段２０１に指示し録画を終了する（Ｓ４０７）。
【００３９】
次に、図５を参照して、映像音声データの記録パターンについて説明する。図５は、映像伝送端末１００において設定される映像音声データの記録パターンを表し、図５に示す映像出力手段５１１、映像伝送端末１１１、映像記録端末２１１は図１に示すものと同様である。また、図５の例では映像記録単位をフレーム単位として説明する。また、映像伝送端末１１１に入力される映像音声のデータレートをＮｉｎフレーム／秒、映像伝送端末１１１内部に記録する記録レートをＮＯ、映像記録端末２１１に記録する記録レートをＮ１とする。Ｎ０およびＮ１はＮｉｎ以下の条件の下で設定される。例えば、Ｎ０＋Ｎ１＝ＮｉｎおよびＮ０＝Ｎ１を満たすように設定した場合は、図５の（Ａ）のように１映像記録単位ごとにデータ制御手段１０１（図２）によってデータ転送先が切り替えられ、映像伝送端末１１１と映像記録端末２１１に記録される。同様に、記録に使用する映像記録端末が複数ある場合には、図５の（Ｂ）のように各端末へ記録される。また、別の例として伝送手段４００を経由したデータ伝送量を半減させたい場合、もしくは映像記録端末２１１の記録容量を半減させたい場合には、Ｎ０：Ｎ１＝２：１となるように設定し、図５の（Ｃ）のように記録できる。
【００４０】
映像記録再生システム全体の記録領域を最も効率よく利用し、かつ入力映像音声を全て記録する場合には、全端末の記録データが重複しないように切替を行い、Ｎｉｎ＝Ｎ０＋Ｎ１＋・・・＋Ｎｎを満たすように記録レートを設定することが望ましい。ただし、この条件は録画設定条件を制限するものではなく、Ｎ０、Ｎ１、・・・、ＮｎはＮｉｎ以下の値であるならば任意の値を設定できるようにしても良く、入力映像音声を全て記録する必要がない場合にはＮｉｎ＞Ｎ０＋Ｎ１＋・・・＋Ｎｎを満たすように記録レートを設定してもよい。例えば、図５の（Ｄ）のように全映像音声データを記録せず一部を破棄し、蓄積手段１０２および２０２へのデータ転送の負荷を下げて記録可能レートに余裕を持たせることにより、別の映像出力手段５１２やさらに多くの他の映像出力手段からの映像音声データを同時に記録することができる。また、端末間で記録データが重複するよう切替えるようにしてもよい。複数の映像音声コンテンツを映像伝送端末１１１に入力して同時に記録する場合には、映像伝送端末１１１の蓄積手段１０２への記録レートの合計が蓄積手段１０２の最大可能記録レートを超えないように記録パターンを設定し、記録できない映像音声データは映像記録端末２１１へ伝送するか、または破棄すればよい。
【００４１】
以上のように、本発明の第１の実施の形態による映像記録再生システムでは、一連の映像音声データをリアルタイムにすべて一つの端末の蓄積手段に記録しないので、一端末あたりの蓄積手段への単位時間あたりの記録量を抑制できる。したがって、映像伝送端末に一連の映像音声データのすべてを記録する場合よりも多数の映像出力手段からの映像音声入力を受け付け、蓄積手段への記録および伝送手段への転送が可能となる。以上のように、本実施の形態における映像記録再生システムは、複数の映像ソース、例えば複数のカメラからの映像をリアルタイムに記録する映像監視分野などの用途において特に有効である。
【００４２】
また、本発明の第１の実施の形態による映像記録再生システムは、端末間で重複しないようデータを保存できるため、重複してデータ保存するミラーリングシステムのように記録データ量がシステム全体として増加しない。また、１端末あたりの必要な記録容量も単体の端末での記録より削減できる。複数の端末に分散して映像音声データを記録することにより、１つの端末の故障により全データが消失する確率を下げ、データ保存に対する信頼性を向上させることができる。
【００４３】
また、本発明では複数の端末に分散して映像音声データを記録する際に、単体で再生可能な映像記録単位、例えばフレームもしくはＧＯＰを単位とした記録単位を用いて記録し、各端末に記録されるデータは互いに依存することなく表示することができる。そのため、１端末で保存しているデータが消失したとしても、フレーム欠けがあるものの録画開始から終了まで参照することができる。例えば映像監視分野においては、従来から記録時間を延ばすためにフレームを間引いて記録するなど、フレーム欠けを形成する場合がある。本実施の形態のように、端末間で重複しないように記録する方法は、このような間引き記録を形成しまたは許容できる用途において特に有効である。
【００４４】
次に、図６を参照して、管理情報の一例についてさらに詳細に説明する。管理情報には少なくとも、映像記録単位もしくは映像記録単位を細分化した記録単位の映像音声データの識別子と、蓄積手段１０２もしくは２０２における映像音声データの格納場所を含む記録位置管理情報がある。記録位置管理情報の格納場所には端末を識別するための端末識別子が含まれてもよい。さらに上位の管理情報として、一連の映像音声データを識別する映像音声コンテンツ識別子と、記録位置管理情報とを対応付けるコンテンツ管理情報がある。各情報は階層構造を成し、コンテンツ管理情報から映像音声コンテンツの記録位置を特定することができる。また、自端末に記録されていない他端末に記録された映像音声データも記録された端末を特定でき、その端末へアクセスすることにより、データを参照することができる。映像伝送端末１００が映像記録端末２００へ映像音声データとともに送信する管理情報は、少なくとも映像記録単位識別子と格納場所とが含まれる。
【００４５】
映像伝送端末１００における映像音声データは、必ずしも蓄積手段１０２と伝送手段４００へ同じものが送信されるわけではないが、管理情報は記録を行う全端末へ送信し、同じデータを保持するようにしてもよい。そのようにすることにより、どの端末でも管理情報を参照することにより、自端末に欠けている映像音声データがどの端末に存在するかを特定することができる。
【００４６】
以上のように、本実施の形態によれば、映像音声データを記録する際に他の映像伝送端末もしくは映像記録端末に記録する映像音声データの記録位置と、自端末の蓄積手段の記録位置とを含む管理情報を併せて記録する記録端末制御手段２０３（図２）もしくは伝送端末制御手段１０３を設けることにより、自端末に記録されていない映像音声データの記録位置も知ることができる。
【００４７】
なお、本実施の形態では、録画設定を映像伝送端末側で行うようにしたが、映像記録端末もしくはそれ以外の他の端末から行うようにしてもよい。
なお、映像伝送端末１００（図２）の蓄積手段１０２には映像音声データを記録する領域を必ずしも持たなくともよい。この場合には、全ての映像音声データを映像記録端末２００（図２）に送信して記録することができる。
【００４８】
なお、上記の説明では、映像記録端末があらかじめ定められているか、もしくは操作者によって決められるものとしたが、ブロードキャスト送信やマルチキャスト送信等によって多数の端末への録画準備要求通知を送信し、最も早くに到着した確保成功通知を採用するようにしてもよい。
なお、上記の説明では、映像伝送端末からのデータ送信を特定の映像記録端末を指定して送信するものとしたが、ブロードキャスト送信やマルチキャスト送信を使用して送信先を一端末に限定せずに送信するようにしてもよい。
なお、本実施の形態において伝送端末制御手段および記録端末制御手段は汎用プロセッサを用い、その上で動作するソフトウェアで実現してもよく、またそのソフトウェアを記憶媒体に収め、再び読み出したソフトウェアにより実現してもよい。
【００４９】
以上の説明のように、本発明の第１の実施の形態によれば、複数の端末ごとの映像音声データの記録レートの割り当てを設定し、データ格納先の記録位置を管理する記録位置管理情報を作成し、設定された記録レートに基づき映像音声データの転送先を切り替え指示する伝送端末制御手段を備えた映像伝送端末と、映像伝送端末からの記録領域確保要求に基づき映像音声データの記録領域を確保し、自端末宛ての映像音声データを記録位置管理情報とともに受信し、記録を指示する映像記録制御手段を備えた映像記録端末とから構成することにより、一連の映像音声データを複数の端末で分散して記録することができるので、一端末ですべてを記録するよりも一端末あたりの蓄積手段への単位時間あたりの記録量を抑制して多くの映像音声入力を記録することができるとともに、一端末の故障によって全データが消失もしくは参照ができなくなる確率を下げ、データ保存および伝送に対する信頼性を向上させることができる。
【００５０】
（第２の実施の形態）
次に、図７ないし図９を参照して、本発明の第２の実施の形態における映像記録再生システムについて説明する。最初、図７により、本実施の形態における映像記録再生システムの構成を説明する。映像伝送端末１１１および映像記録端末２１１、２１２の構成は第１の実施の形態と同様であるから説明を省略する。主映像記録端末２１３は最終的に映像音声データを格納する端末であり、映像記録端末２１１、２１２と構成は同一である。
【００５１】
次に、主映像記録端末２１３の制御手順を示す図８と、図２および図７を参照して、以上のように構成された本発明の第２の実施の形態における映像記録再生システムの動作を説明する。まず、録画準備の制御として、映像伝送端末１００（図２）の伝送端末制御手段１０３は最終的に一連の映像音声データを全て記録する映像記録端末を決定する。以降の説明では、この映像記録端末を主映像記録端末２１３と称する。主映像記録端末２１３は、あらかじめ映像伝送端末１００に設定されているか、操作者によって指定するか、もしくは複数の映像記録端末２１１ないし２１３に確保可能な記録領域および記録レートの情報を問い合わせ、確保できる値が大きい記録領域を持つ映像記録端末を選択することにより決定する。なお、主映像記録端末２１３は映像伝送端末１００自体であってもよい。次に、伝送端末制御手段１０３は操作者により設定された情報を含む録画設定情報に基づき、主映像記録端末２１３への記録準備の要求を送信する。
【００５２】
録画設定情報には、少なくとも記録時間や記録容量などの録画終了条件、記録に使用する端末、端末ごとの記録レート、主映像記録端末２１３の識別情報が含まれる。要求を受信した主映像記録端末２１３は記録領域の確保および記録パターンの設定を行い、記録準備完了を送信する。記録端末制御手段２０３は、映像伝送端末１００から要求された映像音声データの記録を開始することによって最大可能記録レート、すなわち蓄積手段２０２へ記録可能な単位時間あたりの記録容量を超えてしまう場合には、可能な記録レートを映像伝送端末１００に送信する。伝送端末制御手段１０３は、主映像記録端末２１３から受信した記録レートが録画設定情報の記録レートを下回る場合には、他の映像記録端末へも記録準備要求を送信し、不足した記録レート分の記録ができるようにする。また、自端末でも記録を行う場合は、蓄積手段１０２の空き容量の中から記録領域を確保する。全使用端末の記録準備が完了すると、使用端末ごとの映像音声データの記録パターンを確定し、録画準備を完了する。録画開始以降の映像伝送端末１００の動作は第１の実施の形態と同様であり説明を省略する。
【００５３】
次に、図７および図２と、主に図８を参照して、主映像記録端末２１３の動作について説明する。受信側の映像記録端末２００では、まず記録端末制御手段２０３が映像伝送端末１００からの記録準備要求を伝送手段４００を介して受信する。記録端末制御手段２０３は要求内容に基づき、自端末での記録容量および記録レートを算出して確保し、映像伝送端末１００からの映像音声データ及び管理情報の受信を準備し、可能な記録領域および記録レートを映像伝送端末１００に送信して録画準備を完了する（Ｓ８０１）。主映像記録端末２１３は記録領域確保時に他端末向けの映像音声データを記録できる領域も併せて確保し、一連の映像音声データを全て記録できる領域を確保する。記録端末制御手段２０３が記録開始要求を受信すると、データ制御手段２０１へ受信開始を指示する（Ｓ８０２）。映像伝送端末１００が映像音声データおよび管理情報の送信が開始すると、映像記録端末２００はこの映像音声データおよび管理情報を受信し、データ制御手段２０１へ転送する。記録端末制御手段２０３はデータ制御手段２０１に対する一定量の映像音声データ記録単位ごとに蓄積手段２０２への転送判定を行う（Ｓ８０３）。
【００５４】
一定量受信すると、記録端末制御手段２０３は受信した管理情報に基づき自端末に記録されたデータを管理するための管理情報を生成する（Ｓ８０４）。記録端末制御手段２０３はデータ制御手段２０１に指示し、受信した映像音声データを蓄積手段２０２の確保した領域へ記録する（Ｓ８０５）。ただし、主映像記録端末２１３では他端末向けの映像音声データ用記録領域は空けながら記録していく。また、管理情報をデータ制御手段２０１へ転送し、蓄積手段２０２へ記録する（Ｓ８０６）。管理情報および映像音声データは蓄積手段２０２の記録領域の中のそれぞれ専用の領域へ記録する。以上のデータ受信から蓄積手段２０２に対する記録までを記録停止通知受信まで繰り返す。記録停止通知を受信すると、次に他の映像記録端末からのデータ受信をデータ制御手段２０１に指示する（Ｓ８０７）。
【００５５】
録画終了後、主映像記録端末２１３以外の最終的に映像音声データを保存しない映像伝送端末１００の伝送端末制御手段１０３もしくは映像記録端末２１１、２１２の記録端末制御手段２０３は、データ制御手段１０１もしくは２０１に記録が終了した映像音声データの管理情報を蓄積手段１０２もしくは２０２から読み出すように指示する。伝送端末制御手段１０３もしくは記録端末制御手段２０３は読み出した管理情報を参照し、映像音声データの記録位置を特定してデータ制御手段に映像音声データを転送するよう指示する。データ制御手段１０１、２０１は蓄積手段１０２、２０２から一定量転送すると、伝送端末制御手段１０３もしくは記録端末制御手段２０３に通知する。伝送端末制御手段１０３もしくは記録端末制御手段２０３はデータ制御手段１０１、２０１からの転送通知を受け、データ制御手段１０１、２０１に主映像記録端末２１３への送信を指示する。データ制御手段１０１、２０１は送信指示を受け伝送手段４００へ映像音声データと管理情報を転送する。以降、全ての映像音声データの送信を完了するまで、管理情報の読み出しから伝送手段４００へのデータ転送までを繰り返す。
【００５６】
主映像記録端末２１３のデータ制御手段２０１は他端末からの映像音声データおよび管理情報を受信し、記録端末制御手段２０３へ通知する。記録端末制御手段２０３は管理情報を参照し、自端末の蓄積手段２０２における記録位置を決定して記録位置管理情報を作成する。次に、データ制御手段２０１で受信した映像音声データの蓄積手段２０２に対する記録を指示する。データ制御手段２０１は映像音声データを蓄積手段２０２の空き記録領域へ記録する。一連の映像音声データがすべて記録されたかを判定する（Ｓ８０８）。記録できていない場合は、データ受信から蓄積手段２０２への記録までの手順を全映像音声データを記録するまで繰り返す。一連の映像音声データがすべて記録されると、データ制御手段へ２０１記録停止指示を行い記録動作を終了する（Ｓ８０９）。
【００５７】
次に、図７および図２と、主に図９を参照して、主映像記録端末２１３における映像音声データの記録方法について説明する。図９は主映像記録端末２１３の蓄積手段２０２における映像音声データの配置の概念を表す。蓄積手段２０２における映像音声データの配置方法は、図９の（Ａ）のように、映像伝送端末１００からのデータ記録中は、自端末宛ての映像音声データを記録単位ごとに、他映像記録端末２１１、２１２用の記録領域を飛ばしながら配置していく。そして後から他映像記録端末２１１、２１２から受信するデータは、空いた領域に記録するようにし、蓄積手段２０２内で一連の映像音声データが連続的に配置されるようにする。この操作によって、例えばディスク型記録媒体を備えた蓄積手段２０２からの読み出しが、ヘッドのシーク操作といった操作によって途切れることなく連続的に行えるようにし、転送効率を上げるように最適化する。もしくは記録時の転送効率を重視する場合には、図９の（Ｂ）のように映像伝送端末１００からのデータ記録中は自端末宛ての映像音声データを記録単位ごとに詰めて配置していく。そして後から他映像記録端末２１１、２１２から受信するデータは、後方の空いた領域に連続して配置するようにし、蓄積手段２０２内で一連の映像音声データを連続的に記録できるようにする。
【００５８】
なお、本実施の形態において、伝送手段４００における録画中の映像音声データの伝送は最善努力型のプロトコル、例えばＵＤＰ／ＩＰで伝送させることによってリアルタイム記録を実現し、録画後に他の映像記録端末から伝送させて映像音声データを記録する場合には、信頼性を確保ししたプロトコル、例えばＴＣＰ／ＩＰで伝送させるようにしてもよい。
なお、本実施の形態において、伝送端末制御手段１０３および記録端末制御手段２０３は、汎用のプロセッサを用いてその上で動作するソフトウェアで実現してもよく、またそのソフトウェアを記憶媒体に収め、再び読み出したソフトウェアにより実現してもよい。
なお、他映像記録端末への記録要求を録画準備段階で行うものとしたが、録画中でも記録可能レートの増減に応じて他映像記録端末への記録要求を行い、映像音声データを漏れなく記録できるようにしてもよい。
【００５９】
以上のように、本発明の第２の実施の形態によれば、他の映像記録端末に一部の映像音声データを分散して一時記録し、録画終了後もしくは録画中に他の映像記録端末に一時記録した映像音声データを再度受信して記録するよう制御する記録端末制御手段２０３を設けることにより、主映像記録端末２１３の記録可能レートを超える記録要求があっても、他の映像記録端末に一時記録した一連の映像音声データを受信して漏れなくリアルタイムに記録することができる。
【００６０】
（第３の実施の形態）
次に、図１０ないし図１３を参照して、本発明の第３の実施の形態における映像記録再生システムについて説明する。最初、図１０により、本実施の形態における映像記録再生システムの構成を説明する。本実施の形態における映像記録再生システムは、映像記録端末２１１もしくは映像伝送端末１１１から映像音声データを受信して映像音声を出力する映像表示端末３００と、例えばテレビモニタなどの映像の表示もしくは音声を出力する映像表示手段６００とを有する。その他の構成要素は、第１の実施の形態と同様であり説明を省略する。
【００６１】
次に、図１１を参照して、本実施の形態における映像表示端末３００の構成を説明する。図１１において、映像表示端末３００は入力したデータを一旦蓄積して指示された先に出力するデータ制御手段３０１と、データを保存する蓄積手段３０２と、映像音声データの受信と映像表示手段６００への出力を制御する表示端末制御手段３０３とからなる。
【００６２】
なお、映像表示端末３００は、映像音声データの再生を設定し、他端末へのデータ送信を指示し、映像音声データを受信する。映像記録端末２００は、映像音声データを蓄積し、他端末からの指示に従って送信する。本実施の形態における映像伝送端末１００もしくは映像記録端末２００は、映像表示端末と映像記録端末の両方の機能を備えるようにしてもよい。本実施の形態における映像記録端末２００は、第１もしくは第２の実施の形態における映像伝送端末であってもよい。
【００６３】
次に、映像表示端末３００の制御手順を示す図１２と、図１０および図１１を参照して、映像音声データの再生について説明する。まず再生準備として、表示端末制御手段３０３は指定された映像音声コンテンツの管理情報を転送するようにデータ制御手段３０１へ要求する（Ｓ１２０１）。データ制御手段３０１は蓄積手段３０３から管理情報を読み出し、表示端末制御手段３０３へ送る。該当する管理情報が蓄積手段３０２に存在しないか、もしくは映像音声コンテンツの管理情報の存在場所として外部端末が指定されている場合には、伝送手段４００を介して映像記録端末２００へコンテンツ存在確認要求を送信する。映像記録端末２００が該当コンテンツを保存している場合には、映像記録端末２００はコンテンツ存在通知および管理情報を返送する。該当コンテンツの管理情報の一部もしくはすべてを取得することにより再生準備を完了する。
【００６４】
次に、データ制御手段３０１に対してデータ受信開始を指示する（Ｓ１２０２）。また、一連の映像音声データが記録されたすべての映像記録端末２００へ指定コンテンツの再生開始要求を送信する（Ｓ１２０３）。映像記録端末２００は再生開始要求受信後、映像音声データを録画時の記録レートと同じ送信レートとなるようなタイミングで映像表示端末３００へ映像記録単位で送信していく。映像表示端末３００では、データ制御手段３０１が受信した映像音声データを一時蓄積する。また、自端末に映像音声データが存在するならば、表示端末制御手段３０３はデータ制御手段３０１に一時的に蓄積されているデータ量に基づき蓄積手段３０２からの転送判定を行う（Ｓ１２０４）。一時蓄積量が一定量以下であれば、管理情報から蓄積手段３０２のデータの記録位置を特定し、この記録位置のデータを転送するようにデータ制御手段３０１へ指示する。データ制御手段３０１は蓄積手段３０２から読み出した映像音声データを一時蓄積する。
【００６５】
他の映像記録端末２００および蓄積手段３０２からのデータ受信および一時蓄積とともに、表示端末制御手段３０３は、管理情報に基づき映像音声データ再生位置の映像記録単位格納位置を特定する（Ｓ１２０５）。格納位置が自端末である場合は、蓄積手段３０２から読み出して、一時蓄積してある映像記録単位のデータを出力するようデータ制御手段３０１に指示する。また、格納位置が他端末である場合は、伝送手段４００経由で受信して一時蓄積してある映像記録単位のデータを出力するようにデータ制御手段３０１に指示する。出力されたデータは、映像表示手段６００に入力されて映像音声が表示される。
【００６６】
次に、表示端末制御手段３０３は再生位置がコンテンツ末端への到達、もしくは操作者からの停止要求の有無等に基づき再生終了判定を行う。再生継続ならば、蓄積手段３０２からの転送判定（Ｓ１２０４）から、映像表示手段６００への出力（Ｓ１２０５）を再生停止まで繰り返す。再生終了であれば、データ制御手段３０１への転送停止指示および映像記録端末２００への再生停止要求を送信し、再生を終了する。なお、表示端末制御手段３０３における転送判定（Ｓ１２０４）から映像表示手段６００への出力（Ｓ１２０５）、再生終了判定（Ｓ１２０６）までの処理は、録画時の記録レートに基づき、１映像記録単位の記録時間と同じ時間以内で実施することにより、記録時と同じ記録レートで再生する。
【００６７】
次に、図１３および図１１を参照して、本実施の形態における映像表示端末３００のデータ再生時における映像音声データの流れを説明する。図１３の（Ａ）のように、表示端末制御手段３０３は、以上の手順によって、管理情報を順に参照しながらデータを保持している端末や記録位置を特定して転送し、一連の映像音声データを記録時と同じデータの順序で再生していく。また図１３の（Ｂ）のように、映像音声データを記録していた映像記録端末２００のデータが消失し、一連の映像音声データのうち一部が得られない場合でも、その部分を飛ばして再生していく。以上の手順によって映像記録再生システムを構成する伝送手段４００の一部異常、もしくはデータが記録されている一部の映像記録端末の異常等によって映像音声データの伝送もしくは記録が中断されたとしても、正常な伝送路及び映像記録手段が存在すれば一部のデータを参照することができる。
【００６８】
なお、表示出力を行う映像表示端末３００は自端末に記録されていない全ての映像音声データを映像記録端末から受信して再生する必要はない。例えば、伝送手段４００の伝送可能なレートによって映像記録端末から受信するようにして表示してもよい。なお、本実施の形態において表示端末制御手段３０３は汎用のプロセッサを用いてその上で動作するソフトウェアで実現してもよく、またそのソフトウェアを記憶媒体に収め、再び読み出したソフトウェアにより実現してもよい。
【００６９】
以上説明したように、本発明によれば、自端末に記録された映像音声データと他端末に記録されたデータを順次参照していくよう制御する表示端末制御手段を設けることにより、複数の端末に記録された一連の映像音声データを収集しながら一端末で再生することができる。また、一部の端末のデータが消失または転送できない状況下でも、また一部のデータ欠けが発生しても、全データを消失することなく再生でき、映像音声データ再生の信頼性を向上させることができる。
【００７０】
（第４の実施の形態）
次に、図１および図２を参照して、本発明の第４の実施の形態における映像記録再生システムについて説明する。本実施の形態における映像再生記録システムの構成、映像伝送端末および映像記録端末の構成は、第１もしくは第２の実施の形態のものと同様であるから説明を省略する。
【００７１】
まず、録画準備の制御として、伝送端末制御手段１０３は記録に使用する各映像記録端末２００との間の伝送手段４００の経路における最大伝送可能レートを調べる。最大伝送可能レートを調べる方法としては、例えば送信時の時刻情報を付加したデータを映像記録端末２００へ複数回送信して、映像記録端末２００で受信したデータの時間間隔を付加したデータを送り返すようにし、単位時間あたりの伝送可能量として求める。もしくは別の方法として、例えばＲＳＶＰ
（ Resource Reservation Protocol）などの帯域制御プロトコルによる伝送経路上のリソース予約結果を使用して決定する。伝送端末制御手段１０３は各映像記録端末２００への伝送レートに応じ、各映像記録端末２００への記録レートを決定し、記録パターンを決定する。例えば、ある映像伝送端末Ｓ０から映像記録端末Ｓ１への伝送可能レートをＴ１、映像記録端末Ｓ２への伝送可能レートをＴ２とすると、各記録端末の記録レートを下記のように決定する。
Ｒ＝Ｒ０＋Ｒ１＋Ｒ２
Ｒ１＜＝Ｔ１，Ｒ２＜＝Ｔ２
【００７２】
すなわち、全てのデータを記録するのに必要な記録レートを、伝送レートＴ１、Ｔ２に比例しかつ十分伝送可能な記録レートＲ１、Ｒ２として配分し、余りのデータを自端末に記録レートＲ０で記録するかもしくは破棄する。記録レートに基づき記録パターンを設定する。
【００７３】
次に、伝送端末制御手段１０３は、設定した記録レート配分結果から決定された記録パターンと操作者によって設定された録画設定情報に基づき、各端末に対し記録準備の要求を送信する。録画設定情報には、少なくとも記録時間や記録容量などの録画終了条件、記録に使用する端末が含まれる。要求を受信した映像記録端末２００は記録領域の確保および記録パターンの設定を行い、記録準備完了を送信する。また、自端末でも記録を行う場合は、蓄積手段１０２の空き容量の中から記録領域を確保する。全使用端末の記録準備を完了すると、使用端末ごとの映像音声データの記録パターンを確定し、録画準備を完了する。以降の記録開始から記録停止までの手順は第１の実施の形態もしくは第２の実施の形態と同様であり、説明を省略する。
上記のように、記録レートを伝送レートに応じて決定すれば、伝送可能なレート以上で記録することによって生じる可能性があるデータ消失を防ぐことができる。
【００７４】
なお、上記の説明では録画準備の際に最大伝送可能レートを調べ、その結果を用いて映像記録端末ごとの記録パターンを設定したが、録画中に映像音声データの伝送レートを調べて動的に記録パターンを変更するようにしても良い。
なお、本実施の形態において伝送端末制御手段は汎用のプロセッサを用い、その上で動作するソフトウェアにより実現してもよく、またそのソフトウェアを記憶媒体に収め、再び読み出したソフトウェアにより実現してもよい。
【００７５】
以上のように、本実施の形態によれば、各映像記録端末に対する最大伝送可能レートに基づき各端末の記録パターンを設定する伝送端末制御手段を設けることにより、映像音声データを記録する際、データ伝送時における伝送レートの超過によるデータ消失を防止することができる。
【００７６】
（第５の実施の形態）
次に、図１および図２を参照して、本発明の第５の実施の形態における映像記録再生システムについて説明する。本実施の形態における映像再生記録システムの構成、映像伝送端末および映像記録端末の構成は、第１もしくは第２の実施の形態のものと同様であるから説明を省略する。
【００７７】
まず録画準備の制御として、伝送端末制御手段１０３は記録に使用する各映像記録端末２００に対して記録可能容量、すなわち各端末における蓄積手段の空き容量情報の問い合わせを行う。各記録可能容量に応じ、各映像記録端末２００に対する記録レートを決定し、記録パターンを決定する。例えば、ある映像伝送端末Ｓ０、映像記録端末Ｓ１、Ｓ２の記録可能容量をそれぞれＣ０，Ｃ１，Ｃ２とし、各端末の記録レートをＲ０，Ｒ１，Ｒ２とする。このときの各端末の記録可能時間はＣ０／Ｒ０，Ｃ１／Ｒ１，Ｃ２／Ｒ２となる。記録可能時間が端末間で異なると、ある端末で記録されている時刻付近で他の端末ではデータが記録されていないということが起こる。
Ｒ＝Ｒ０＋Ｒ１＋Ｒ２
Ｃ０／Ｒ０＝Ｃ１／Ｒ１＝Ｃ２／Ｒ２＝Ｔ
すなわち、データを記録するに必要な記録レートを、記録可能容量Ｃ１，Ｃ２に比例し、かつ十分記録可能な時間を確保できる記録レートＲ１，Ｒ２で配分し、余りのデータを自端末に記録レートＲ０で記録するかもしくは破棄する。
【００７８】
次に、伝送端末制御手段１０３は、上記の記録レート配分結果から決定された記録パターンと操作者によって設定される録画設定情報に基づき、各端末への記録準備の要求を送信する。録画設定情報には、少なくとも記録時間や記録容量などの録画終了条件、記録に使用する端末が含まれる。要求を受信した映像記録端末２００は記録領域の確保および記録パターンの設定を行い、記録準備完了を送信する。また、自端末でも記録を行う場合は、蓄積手段１０２の空き容量の中から記録領域を確保する。全使用端末の記録準備が完了すると、使用端末ごとの映像音声データの記録パターンを確定し、録画準備を完了する。以降の記録開始から記録停止までの手順は、第１もしくは第２の実施の形態のものと同様であるから説明を省略する。
【００７９】
上記のように記録レートを各端末の記録可能容量に応じて決定するので、記録容量不足によって一部のデータが記録できなくなることを防止することができる。
なお、本実施の形態における伝送端末制御手段は汎用のプロセッサを用い、その上で動作するソフトウェアで実現してもよく、またそのソフトウェアを記憶媒体に収め、再び読み出したソフトウェアにより実現してもよい。
【００８０】
以上のように、本実施の形態によれば、映像伝送端末および映像記録端末の記録可能容量に基づき各端末の記録パターンを設定する伝送端末制御手段１０３を設けることにより、映像音声データを記録する際、記録容量不足によるデータ消失を防止することができる。
【００８１】
（第６の実施の形態）
次に、図１および図２を参照して、本発明の第６の実施の形態における映像記録再生システムについて説明する。本実施の形態における映像再生記録システムの構成、映像伝送端末および映像記録端末の構成は、第１もしくは第２の実施の形態のものと同様であるから説明を省略する。
【００８２】
まず録画準備の制御として、伝送端末制御手段１０３は第４の実施の形態と同様に各映像記録端末２００との間の最大伝送レートを調べる。また、第５の実施の形態と同様に各映像記録端末２００の記録可能容量を収集する。最大伝送レートおよび記録可能容量に応じ、各映像記録端末２００への記録レートを決定する。例えば、ある映像伝送端末Ｓ０、映像記録端末Ｓ１、Ｓ２の記録可能容量をそれぞれＣ０，Ｃ１，Ｃ２とし、最大伝送可能レートをＴ０，Ｔ１，Ｔ２、各端末の記録レートをＲ０，Ｒ１，Ｒ２、録画設定情報に設定された録画時間をＴ、一連の映像音声データの記録レートの総和をＲとする。このとき各端末の記録可能時間はＣ０／Ｒ０，Ｃ１／Ｒ１，Ｃ２／Ｒ２となる。記録可能時間がずれると、記録可能容量の少ない端末では他端末よりも早く記録領域を使い切ってしまい、その時刻付近で他端末では記録されているのに記録可能容量の少ない端末ではデータが記録されていないということが起こる。そこで下記の式を満たすように、他端末の記録レートを最大伝送可能レートを超えない値に設定する。
【００８３】
Ｒ＝＞Ｒ０＋Ｒ１＋Ｒ２
Ｃ０／Ｒ０＝Ｃ１／Ｒ１＝Ｃ２／Ｒ２＝Ｔ
Ｒ１＜＝Ｔ１，Ｒ２＜＝Ｔ２
すなわち、データを記録するに必要な記録レートを、記録可能容量Ｃ１，Ｃ２に比例しかつ十分記録可能な時間を確保できる記録レートＲ１，Ｒ２として配分し、余りのデータを自端末に記録レートＲ０で記録するかもしくは破棄する。
【００８４】
次に、伝送端末制御手段１０３は、前記記録レート配分結果から決定された記録パターンと操作者によって設定された録画設定情報に基づき、各端末への記録準備の要求を送信する。録画設定情報には、少なくとも記録時間や記録容量などの録画終了条件、記録に使用する端末が含まれる。記録準備要求を受信した映像記録端末２００は記録領域の確保および記録パターンの設定を行い、記録準備完了を送信する。また、自端末でも記録を行う場合は、蓄積手段の空き容量の中から記録領域を確保する。全使用端末の記録準備が完了すると、使用端末ごとの映像音声データの記録パターンを確定し、録画準備を完了する。以降の記録開始から記録停止までの手順は第１の実施の形態もしくは第２の実施の形態と同様であるから説明を省略する。
【００８５】
上記のように、記録レートを伝送レートと端末の記録可能容量の両方に応じて決定すれことにより、伝送可能なレート以上で記録することによって生じる可能性のあるデータ消失を防止することができる。また、記録レートを各端末の記録可能容量に応じて決定するので、記録容量不足によって一部のデータが記録できなくなることが防止される。
【００８６】
なお、本実施の形態における伝送端末制御手段は汎用のプロセッサを用い、その上で動作するソフトウェアにより実現することができ、またそのソフトウェアを記憶媒体に収め、再び読み出したソフトウェアにより実現してもよい。
以上のように、本実施の形態によれば、映像伝送端末および映像記録端末の記録可能容量と映像記録端末への最大伝送可能レートに基づき各端末の記録パターンを設定する伝送端末制御手段を設けることにより、映像音声データを記録する際、記録容量不足と伝送レートの超過によるデータ消失を防止することができる。
【００８７】
（第７の実施の形態）
次に、図１、図２および図１４を参照して、本発明の第７の実施の形態における映像記録再生システムについて説明する。本実施の形態における映像再生記録システムの構成、映像伝送端末および映像記録端末の構成は、第１の実施の形態のものと同様であるから説明を省略する。
【００８８】
次に、主に図１４を参照して、本実施の形態における映像記録端末の動作を説明する。図１４は各端末における映像音声データの移動前と移動後の管理情報の一例を表すものである。本実施の形態では、第１ないし第６の実施の形態のいずれかに記載した方法で複数の端末に記録を行う。映像音声データの記録については説明を省略する。映像記録端末２１１は記録済み映像音声データの削除もしくは移動を行い、映像記録端末２１２は映像音声データの移動先とし、映像伝送端末１１１、映像記録端末２１１、２１２は一連の映像音声データの一部を記録しているものとする。
【００８９】
映像記録端末２１１から記録済みの映像音声データを削除もしくは他端末へ移動する場合、映像記録端末２１１の記録端末制御手段２０３は移動先の映像記録端末２１２へ記録領域確保要求を送信する。次に移動先の映像記録端末２１２から帰ってきた記録確保可能量を受信し、自端末に記録されているデータを記録可能な領域が存在するならば、映像音声データを記録確保できた映像記録端末２１２を移動先として決定する。次に、削除もしくは移動対象となる映像音声データを映像記録端末２１１の蓄積手段２０２からデータ制御手段２０１へ読み出し、移動先として決定した映像記録端末２１２へ送信するようデータ制御手段２０１へ指示し、送信する。映像記録端末２１２は第１の実施の形態の録画の手順と同様にして映像音声データを受信し、蓄積手段２０２へ記録する。
【００９０】
データの移動が完了すると、映像記録端末２１１の記録端末制御手段２０３は一連の映像音声データのうち、他のデータを記録している端末に対し、記録された管理情報の更新要求を送信する。削除もしくは移動する映像音声データの記録位置を含む管理情報を記録している映像伝送端末１１１もしくは映像記録端末２１２は、映像記録端末２１１から削除されるデータの記録位置を移動先の端末２１２へ変更することにより管理情報を更新する。最後に映像記録端末２１１の記録端末制御手段２０３は、データ制御手段２０１を経由して蓄積手段２０２に対し、移動済み映像音声データを消去するよう指示し、削除する映像音声データの記録領域を開放する。
【００９１】
他端末へ記録可能な記録領域が存在しない場合には、削除されたデータの記録位置を削除された旨の情報に変更するよう管理情報を更新する。
なお、本実施の形態において記録端末制御手段は汎用のプロセッサを用いてその上で動作するソフトウェアで実現してもよく、またそのソフトウェアを記憶媒体に収め、再び読み出したソフトウェアにより実現してもよい。
【００９２】
以上のように、本実施の形態によれば、映像音声データを移動もしくは削除する際に管理情報の記録位置を修正する制御を行う伝送端末制御手段もしくは記録端末制御手段を設けることにより、映像記録再生システムに存在する映像記録端末間の管理情報の不整合を生じることなくデータの移動もしく削除を行い、映像音声データを参照することができる。
【００９３】
（第８の実施の形態）
次に、図１５ないし図１８を参照して、本発明の第８の実施の形態における映像記録再生システムについて説明する。まず、図１５を参照して、本実施の形態における映像記録再生システムの構成例を説明する。図１５において、この映像記録再生システムは映像伝送端末１００からの記録領域確保要求に基づき映像記録端末２１１、２１２の記録領域確保と記録を調停する映像記録調停端末７００を含む。また、映像記録調停端末７００は、入力されたデータを一旦蓄積して指示された先に出力するデータ制御手段７０１と、データを保存する蓄積手段７０２と、映像伝送端末１００からの記録領域確保要求に基づき映像記録端末２１１、２１２の記録領域確保と記録の調停を制御する調停端末制御手段７０３とを備える。その他の構成要素は第１の実施の形態と同一であるため説明を省略する。なお、映像記録調停端末７００は映像伝送端末１００または映像記録端末２１１、２１２のいずれか、または両方の機能を備えるようにしてもよい。
【００９４】
次に、図１５と主に図１６を参照して、本実施の形態における映像記録再生システムの録画動作を、映像記録調停端末の動作を中心に説明する。また、図１６は本実施の形態における録画時における映像記録調停端末の制御手順を表すものである。映像伝送端末１００、映像記録端末２１１、２１２は第１ないし第７の実施の形態と同様な動作を行うため説明を省略する。まず、映像記録調停端末７００は伝送手段４００を介して映像伝送端末１００からの記録準備要求を受信する。調停端末制御手段７０３は記録準備要求を受けると、映像記録端末２１１および２１２に対し記録領域および記録レートの確保可能量の問い合わせを送信する（Ｓ１５０１）。確保可能な記録容量および記録レートを有する映像記録端末２１１、２１２は、その問い合わせを受信すると、記録容量および記録レートの確保可能量を返送する。記録端末調停手段７０３は、伝送手段４００を経由して受信した映像記録端末２１１、２１２からの記録容量および記録レートの確保可能量を一時記録し、映像記録端末２１１、２１２とその確保可能量のリストを作成する（Ｓ１５０２）。
【００９５】
記録端末調停手段７０３は、一定時間経過後、もしくは映像記録調停端末に登録されている全ての映像記録端末２１１、２１２から確保可能量が返ってきたことを判定し、その条件を満たすならば確保可能量のリストから映像記録端末の選択を行う（Ｓ１５０３）。映像記録端末の選択方法は、例えば映像伝送端末からの確保要求量よりも大きい記録容量および記録レートの確保可能量を有するものを一つ選択する。一つの映像記録端末で映像伝送端末からの記録容量および記録レートの確保要求量をいずれか一つでも満たさない場合は、他の映像記録端末も選択することにより不足分を補うようにする。以降の説明では映像記録端末２１１と２１２を選択したものとする。記録端末調停手段７０３は、選択した映像記録端末２１１、２１２に対し、記録領域および記録レート確保要求を伝送手段４００を介して送信する。映像記録端末２１１、２１２は記録領域を確保し、調停端末制御手段７０３へ確保完了通知を送信する。調停端末制御手段７０３は、伝送手段４００を介して確保完了通知を受信する。選択した全端末から完了通知が返ってこない場合は新たに端末を選択し、確保要求を行うか、選択済みの端末に対して追加の確保要求を行う。映像伝送端末１００から要求された確保量を確保できると、記録に使用するために選択された映像記録端末のリストを作成する（Ｓ１５０４）。
【００９６】
このようにして得られた情報は、データ制御手段７０１を介して蓄積手段７０２へ転送し、一連の映像音声データと記録に使用する端末とを対応付ける記録端末管理情報として蓄積手段７０２へ記録する。また、各映像記録端末２１１、２１２への映像音声データの配分方法、すなわち記録パターンを決定する。調停端末制御手段７０３は、映像伝送端末１００へ記録準備完了通知を送信し、記録準備を終了する（Ｓ１５０５）。映像音声データの配分方法は、第１ないし第７の実施の形態のいずれかに記載された方法により逐次記録先の映像記録端末を切り替えながら分散して記録してもよいし、一連の映像音声データを１端末のみに連続的に送信して記録し、その記録領域を使い切ったら次の記録端末へ記録先を変更していくようにしてもよい。
【００９７】
次に、記録の段階に入ると、映像伝送端末１００から調停端末制御手段７０３に対し記録開始要求が送信される。調停端末制御手段７０３は、伝送手段４００を介して、記録開始通知を受信すると、データ制御手段７０１に映像伝送手段１００からのデータ受信を指示する（Ｓ１５０６）。また、選択した映像記録端末２１１、２１２に対して記録開始要求を送信する（Ｓ１５０７）。映像伝送端末１００が映像音声データの送信を開始すると、調停端末制御手段７０３は映像音声データおよび管理情報を受信してデータ制御手段７０１へ転送する。調停端末制御手段７０３は、受信した管理情報と記録パターンに基づき受信した映像音声データの送信先を決定する（Ｓ１５０８）。
【００９８】
次に、データ制御手段７０１に対し管理情報を映像音声データ送信先の映像記録端末２１１もしくは２１２へ送信するよう指示する（Ｓ１５０９）。また、データ制御手段７０１に対し転送した記録単位の映像音声データを記録パターンに従って映像記録端末２１１もしくは２１２へ送信するよう指示する（Ｓ１５１０）。データは、伝送手段４００を経由して映像記録端末２１１もしくは２１２へ送信される。映像音声データの記録先である端末と映像音声データの記録単位とを対応付けた記録位置管理情報を作成し、自端末のデータ制御手段７０１を介して蓄積手段７０２へ記録する（Ｓ１５１１）。映像記録端末２１１もしくは２１２では、第１もしくは第２の実施の形態と同様にして、データ制御手段７０１で自端末宛ての映像音声データを受信すると調停端末制御手段７０３へ通知し、調停端末制御手段７０３は管理情報を作成して、データ制御手段７０１へ映像音声データと管理情報を蓄積手段７０２へ記録するように指示する。
【００９９】
記録を終了する場合は、映像伝送端末１００は記録停止通知を映像記録調停端末７００へ送信する。映像記録調停端末７００の調停端末制御手段７０３は、伝送手段４００を介して記録停止通知を受信するか、または記録準備で指定された記録容量分の記録が終了すると、記録用に選択した映像記録端末２１１および２１２へ記録停止通知を送信し、記録を終了する（Ｓ１５１２）。
【０１００】
次に、図１５と主に図１７を参照して、本発明の第８の実施の形態による映像記録再生システムにおける、記録した映像音声データを再生する場合の映像記録調停端末の制御手順を説明する。まず、映像表示端末３００は映像記録調停端末７００へ再生開始要求を送信する。調停端末制御手段７０３は伝送手段４００を介して再生要求を受信すると、再生要求の対象となる映像音声データの端末管理情報、記録位置管理情報の読み込みをデータ制御手段７０１へ指示して、蓄積手段７０２から読み出す（Ｓ１６０１）。次に、調停端末制御手段７０３は端末管理情報を参照して、映像音声データ記録単位が記録されている映像記録端末２１１もしくは２１２を特定し、データ制御手段７０１に伝送手段４００からのデータの受信を指示する（Ｓ１６０２）。そして、特定した映像記録端末２１１もしくは２１２へ映像音声データの送信要求を送信する（Ｓ１６０３）。
【０１０１】
映像記録調停端末７００からの映像音声データ送信要求を受信した映像記録端末２１１もしくは２１２は、自端末の蓄積手段から指定されたデータを読み出し、映像記録調停端末７００へ順次送信する。送信された映像音声データは、映像記録調停端末７００で受信され、データ制御手段７０１へ転送されて一時蓄積される。調停端末制御手段７０３は記録位置管理情報に基づき、再生順に従って映像記録単位の格納されている端末を特定し、特定された端末から送信され一時記録されているデータを映像表示端末３００へ送信するようデータ制御手段７０１に指示する（Ｓ１６０４）。映像表示端末３００に対する映像音声データの送信は録画時の記録レートと同じ伝送レートにより行われる。映像表示端末３００は、映像記録調停端末７００から送信された映像音声データを受信し、第３の実施の形態と同様にして表示する。調停端末制御手段７０３は再生終了判定を行い（Ｓ１６０５）、管理情報の読み出しから映像表示端末３００への映像音声データの送信を、再生終了位置のデータ送信が完了するか、映像表示端末３００からの再生停止通知を受信するまで繰り返す。
【０１０２】
次に、図１８の管理情報を表す概念図を参照して、本発明の第８の実施の形態による映像記録再生システムにおける調停端末制御手段７０３で作成する管理情報について説明する。図１８のうち、録画準備時には記録端末管理情報および送信元管理情報が作成される。記録端末管理情報は、格納場所である映像記録端末の識別子ごとに記録容量および記録レートを含み、送信元管理情報には送信元（要求元）の映像伝送端末の端末識別子と記録容量および記録レートの情報を含む。なお、記録容量および記録レートは記録端末管理情報のそれぞれの値の総和に等しいかもしくは総和よりも小さい。記録中には記録位置管理情報が作成され、映像記録単位ごとに行の項目が追加されて更新されていく。記録位置管理情報には映像記録単位の識別子と記録先（格納場所）の映像記録端末識別子を含む。
【０１０３】
以上のように、本実施の形態によれば、映像伝送端末１００と映像記録端末２１１、２１２の間で、記録リソースすなわち記録容量および記録レートの確保のために直接調停することがない。記録リソースの確保は映像記録調停端末７００が行うため、映像伝送端末１００は映像記録再生システムに接続された映像記録端末２１１、２１２を調べて管理する必要がない。また、映像記録端末２１１、２１２は映像記録調停端末７００に自端末の存在を登録しておけば、自端末を使用してもらうために映像記録再生システムに接続されたすべての映像伝送端末１００に対して自端末の存在を知らせる必要がない。
【０１０４】
なお、上記において、映像音声データを映像伝送端末１００から調停端末制御手段７０３を経由して伝送し、映像記録端末２１１、２１２で記録するものとしたが、調停端末制御手段７０３から映像記録端末２１１、２１２のリストを映像伝送端末１００に送信し、そのリストに基づいて映像伝送端末１００から映像記録端末２１１、２１２へ映像音声データを直接送信するようにしてもよい。
なお、調停端末制御手段７０３は汎用のプロセッサを用いソフトウェアで実現してもよい。
なお、本実施の形態において調停端末制御手段は汎用のプロセッサを用いその上で動作するソフトウェアで実現してもよく、またそのソフトウェアを記憶媒体に収め、再び読み出したソフトウェアにより実現してもよい。
【０１０５】
以上のように、本実施の形態によれば、映像記録端末２１１、２１２の選択と記録容量および記録レートの確保、および映像音声データの映像記録端末２１１、２１２への転送を制御する映像記録調停端末７００を設けることにより、映像伝送端末１００もしくは映像表示端末は映像記録再生システムにおける映像記録端末の追加、削減などの情報を収集し、複数の映像記録端末を管理することなく、映像記録調停端末７００のみに記録または再生要求することにより記録、再生することができる。また、個々の映像記録端末は映像記録再生システムに接続されたすべての映像伝送端末、映像表示端末に自らの存在を伝えることなく、映像記録調停端末７００に登録するだけで、任意の映像伝送端末１００もしくは映像表示端末に対して記録または再生のために自端末を使用させることができる。
【０１０６】
（第９の実施の形態）
次に、図１５、図１９および図２０を参照して、本発明の第９の実施の形態における映像記録再生システムについて説明する。本実施の形態における映像再生記録システムの構成、映像伝送端末１００、映像記録端末２１１、２１２および映像記録調停端末７００の構成は第８の実施の形態のものと同様であるから説明を省略する。また、映像記録調停端末７００は映像伝送端末１００もしくは映像記録端末２００のいずれか、もしくは両方の機能を備えるようにしてもよい。
【０１０７】
次に、録画時における映像記録調停端末の制御手順を表す図１９、および図１５を参照して、本実施の形態における映像記録再生システムの録画動作を、映像記録調停端末の動作を中心に説明する。映像伝送端末１００、映像記録端末２１１、２１２は第１ないし第８の実施の形態と同様に動作するため説明を省略する。まず映像記録調停端末７００は映像伝送端末１００からの記録準備要求を伝送手段４００を介して受信する。記録準備要求を調停端末制御手段７０３が受けると、映像記録端末２１１、２１２へ記録領域および記録レートの確保可能量の問い合わせを送信する（Ｓ１８０１）。この問い合わせを受信し、確保可能な記録容量および記録レートを有する映像記録端末２１１、２１２は、記録容量および記録レートの確保可能量を返送する。調停端末制御手段７０３は、伝送手段４００を経由して受信した映像記録端末２１１、２１２からの記録容量および記録レートの確保可能量を一時記録し、映像記録端末２１１、２１２とその確保可能量のリストを作成する（Ｓ１８０２）。調停端末制御手段７０３は、一定時間経過後、もしくは映像記録調停端末７００に登録されている全ての映像記録端末２１１、２１２から確保可能量が返ってきたことを判定し、その条件を満たすと確保可能量のリストから映像記録端末２１１、２１２を選択する（Ｓ１８０３）。
【０１０８】
映像記録端末２１１、２１２の選択方法は、例えば映像伝送端末１００からの確保要求量よりも大きい記録容量および記録レートの確保可能量を有するものを１つ選択する。１つの映像記録端末２１１、２１２で映像伝送端末１００からの記録容量および記録レートの確保要求量をいずれか一つでも満たさない場合は、他の映像記録端末も選択することにより不足分を補うようにする。以降の説明では、映像記録端末２１１と２１２を選択したものとする。調停端末制御手段７０３は、選択した映像記録端末２１１、２１２に対し、記録領域および記録レート確保要求を伝送手段４００を介して送信する。映像記録端末２１１、２１２は記録領域を確保し、調停端末制御手段７０３へ確保完了通知を送信する。調停端末制御手段７０３は、伝送手段４００を介して確保完了通知を受信する。
【０１０９】
選択した全端末から完了通知が返ってこない場合は新たに端末を選択し、確保要求を行うか、選択済みの端末に対して追加の確保要求を行う。映像伝送端末１００から要求された確保量を確保できると、記録に使用するために選択された映像記録端末２１１、２１２のリストを作成する（Ｓ１８０４）。また、使用する映像記録端末２１１、２１２ごとに、確保した記録容量と記録レートのいずれか一方もしくは両方の情報に比例した課金情報を算出し、映像記録端末２１１、２１２のリストに追加する（Ｓ１８０５）。さらに、記録要求元である映像伝送端末１００への課金情報を算出して映像伝送端末１００へ送信し、記録開始の可否を問い合わせる（Ｓ１８０６）。映像伝送端末１００は、受信した課金情報に基づき記録開始の可否を決定し、映像記録調停端末７００へ送信する。調停端末制御手段７０３は映像伝送端末１００に問い合わせた結果から記録開始の可否を判定し、可であれば以降の処理を継続する。
【０１１０】
映像記録端末２１１、２１２の管理情報および映像伝送端末２００への課金情報は、データ制御手段７０１を介して蓄積手段７０２へ転送し、一連の映像音声データと記録に使用する端末とを対応付ける記録端末管理情報および送信元管理情報として蓄積手段７０２へ記録する。また、各映像記録端末２１１、２１２への映像音声データの配分方法、すなわち記録パターンを決定し、記録準備を終了する（Ｓ１８０７）。映像音声データの配分方法は、第１ないし第７の実施の形態のいずれかに記載された方法によって逐次記録先の映像記録端末を切り替えながら分散して記録してもよいし、一連の映像音声データを１端末のみに連続的に送信して記録し、その記録領域を使い切った後に次の記録端末へ記録先を変更するようにしてもよい。
【０１１１】
次に、記録段階において、映像伝送端末１００から記録開始要求が調停端末制御手段７０３へ送信される。調停端末制御手段７０３は、伝送手段４００を介して、記録開始通知を受信すると、データ制御手段７０１に映像伝送手段１００からのデータ受信を指示する（Ｓ１８０８）。また、選択した映像記録端末２１１、２１２に対して記録開始要求を送信する（Ｓ１８０９）。映像伝送端末１００が映像音声データの送信を開始すると、調停端末制御手段７０３は映像音声データおよび管理情報を受信し、データ制御手段７０１へ転送する。調停端末制御手段７０３は、受信した管理情報と記録パターンに基づき受信した映像音声データの送信先を決定する（１８１０）。
【０１１２】
次に、データ制御手段７０１に対し、映像音声データ送信先の映像記録端末２１１もしくは２１２へ管理情報を送信するように指示する（Ｓ１８１１）。また、データ制御手段７０１に転送された記録単位の映像音声データを記録パターンに従って映像記録端末２１１もしくは２１２へ送信するように指示する（Ｓ１８１２）。データは、伝送手段４００を経由して映像記録端末２１１もしくは２１２へ送信される。映像音声データの記録先である端末と映像音声データの記録単位とを対応付けた記録位置管理情報を作成し、自端末のデータ制御手段７０１を介して蓄積手段７０２へ記録する（Ｓ１８１３）。映像記録端末２１１もしくは２１２では、第１または第２の実施の形態と同様にして、データ制御手段７０１で自端末宛ての映像音声データを受信すると調停端末制御手段７０３へ通知し、調停端末制御手段７０３は管理情報を作成し、データ制御手段７０１へ映像音声データと管理情報を蓄積手段７０２へ記録するように指示する。
【０１１３】
記録を終了する場合は、映像伝送端末１００が記録停止通知を映像記録調停端末７００へ送信する。映像記録調停端末７００の調停端末制御手段７０３は、伝送手段４００を介して記録停止通知を受信するか、または記録準備で指定された記録容量分の記録が終了すると、記録用に選択した映像記録端末２１１、２１２へ記録停止通知を送信して記録を終了する（Ｓ１８１４）。記録停止後、調停端末制御手段７０３は記録位置管理情報を蓄積手段７０２から読み出すようにデータ制御手段７０１に指示する。調停端末制御手段７０３は記録位置管理情報から実際に映像記録端末２１１、２１２へ記録したデータ容量を算出する。録画途中での映像伝送端末１００からの記録停止要求などにより、録画準備段階で映像伝送端末１００から要求された記録容量と実際の記録容量が異なる場合、記録端末管理情報および映像伝送端末１００に対する送信元管理情報の課金情報を更新して蓄積手段７０２へ記録する。また、更新した課金情報を映像伝送端末１００へ送信する（Ｓ１８１５）。
【０１１４】
記録した映像音声データの再生は第８の実施の形態の場合と同様であるので説明を省略する。
課金情報は映像記録端末の所有者に代わって映像伝送端末所有者に課金し、記録容量および録画で占有された記録レートに見合った料金を徴収することに用いることができる。
【０１１５】
次に、図２０の管理情報を表す概念図を参照して、本発明の第９の実施の形態による映像記録再生システムにおける調停端末制御手段７０３で作成する管理情報について説明する。図２０のうち、録画準備時には記録端末管理情報および送信元管理情報が作成される。記録端末管理情報は、格納場所である映像記録端末の識別子ごとに記録容量および記録レート、それらに基づく課金情報を含む。送信元管理情報には送信元の映像伝送端末１００の端末識別子と記録容量および記録レート、課金情報を含み、記録容量および記録レートは記録端末管理情報のそれぞれの値の総和に等しいかまたは総和より小さい。送信元管理情報の課金情報は、記録端末管理情報の課金量の総和に等しい。記録中には記録位置管理情報が作成され、映像記録単位ごとに行の項目が追加されて更新されていく。記録位置管理情報には映像記録単位の識別子と記録先の映像記録端末識別子を含む。
【０１１６】
以上のように、本実施の形態によれば、映像伝送端末１００と映像記録端末２１１、２１２の間で、記録リソースすなわち記録容量および記録レートの確保のために直接調停を行うことなく、記録リソースの確保は映像記録調停端末７００が行うため、映像伝送端末１００は映像記録再生システムに接続された映像記録端末２１１、２１２を調べて管理する必要がない。また、映像記録端末２１１、２１２は映像記録調停端末７００に自端末の存在を登録しておけば、自端末を使用させるために映像記録再生システムに接続されたすべての映像伝送端末に対して自端末の存在を知らせる必要がない。記録リソースの使用の対価として、映像記録調停端末７００で作成した情報に基づき映像伝送端末の所有者に対して課金を行うことができる。
【０１１７】
なお、上記の本実施の形態における方法では、記録準備段階の情報で各映像記録端末に対する課金情報を設定したが、記録中に実際に映像記録調停端末７００が送信しまたは映像記録端末２１１、２１２が受信したデータ量に基づいて課金情報を更新し、記録するようにしてもよい。
なお、本実施の形態において調停端末制御手段７０３は汎用のプロセッサを用いその上で動作するソフトウェアで実現してもよく、またそのソフトウェアを記憶媒体に収め、再び読み出したソフトウェアにより実現してもよい。
【０１１８】
以上のように、本発明の第９の実施の形態によれば、映像記録端末の選択と記録容量および記録レートの確保、課金情報の作成、および映像音声データの映像記録端末への転送を制御する映像記録調停端末を設けることにより、映像伝送端末もしくは映像表示端末は映像記録再生システムにおける映像記録端末の追加、削減などの情報を収集し、複数の映像記録端末を管理することなく、映像記録調停端末のみに記録もしくは再生要求することにより記録もしくは再生することができる。また、個々の映像記録端末は映像記録再生システムに接続されたすべての映像伝送端末や映像表示端末に対し自己の存在を伝えずとも、映像記録調停端末に登録するだけで、任意の映像伝送端末もしくは映像表示端末に対して記録または再生のために自端末を使用させ、課金することができる。
【０１１９】
【発明の効果】
本発明における映像記録再生システムおよび映像記録再生方法は、上記のように構成され、特に、映像音声データを複数の映像記録端末に分散して記録することにより、１端末の蓄積媒体への最大記録可能レートに制限されずに複数の映像出力手段からの映像音声データを記録でき、その上、一連の映像音声データを再生可能な最小単位で複数の端末に分散して記録することにより、映像音声データが記録されている端末が故障しても全データが参照できなくなる可能性を抑制することができる。
【０１２０】
また、本発明における映像記録再生システムおよび映像記録再生方法は、映像記録端末の記録容量もしくは映像記録端末への伝送可能レートのいずれか一方もしくは両方の情報に応じて映像記録端末に映像音声データを配分して記録することにより、映像音声データを余裕をもって記録し、その消失を抑えることができる。
【０１２１】
また、本発明における映像記録再生システムおよび映像記録再生方法は、記録要求側である映像伝送端末が映像記録再生システムに接続された映像記録端末の接続状況を把握せずとも複数の映像記録端末に映像音声データを自動的に配分して記録できることにより、記録および再生のため自端末を使用させ、課金を行うことができる。
【図面の簡単な説明】
【図１】本発明の第１の実施の形態における映像記録再生システムの構成を示すブロック図、
【図２】本発明の第１の実施の形態における映像伝送端末および映像記録端末の構成を示すブロック図、
【図３】本発明の第１の実施の形態における映像伝送端末の制御手順を示す図、
【図４】本発明の第１の実施の形態における映像記録端末の制御手順を示す図、
【図５】本発明の第１の実施の形態における映像音声データの記録パターンを表す概念図、
【図６】本発明の第１の実施の形態における管理情報の一例を表す概念図、
【図７】本発明の第２の実施の形態における映像再生記録システムの構成を示すブロック図、
【図８】本発明の第２の実施の形態における主映像記録端末の制御手順を示す図、
【図９】本発明の第２の実施の形態における映像音声データの配置を示す概念図、
【図１０】本発明の第３の実施の形態における映像記録再生システムの構成を示す図、
【図１１】本発明の第３の実施の形態における映像表示端末の構成を示す図、
【図１２】本発明の第３の実施の形態における映像表示端末の制御手順を示す図、
【図１３】本発明の第３の実施の形態における映像音声データの記録パターンの流れを示す概念図、
【図１４】本発明の第７の実施の形態における各端末における映像音声データの移動前と移動後の管理情報の一例を示す概念図、
【図１５】本発明の第８の実施の形態における映像記録再生システムの構成の一例を示す図、
【図１６】本発明の第８の実施の形態における録画時の映像記録調停端末の制御手順を示す図、
【図１７】本発明の第８の実施の形態における再生時の映像記録調停端末の制御手順を示す図、
【図１８】本発明の第８の実施の形態における調停端末制御手段で作成される管理情報を示す概念図、
【図１９】本発明の第９の実施の形態における録画時の映像記録調停端末の制御手順を示す図、
【図２０】本発明の第９の実施の形態における調停端末制御手段で作成される管理情報を示す概念図、
【図２１】従来の映像記録再生システムの構成を示すブロック図、
【図２２】従来の映像記録端末における映像音声データの流れを示す概念図。
【符号の説明】
１００、１１１、１１２  映像伝送端末
１０１  データ制御手段
１０２  蓄積手段
１０３  伝送端末制御手段
２００、２１１、２１２  映像記録端末
２１３  主映像記録端末
２０１  データ制御手段
２０２  蓄積手段
２０３  記録端末制御手段
３００  映像表示端末
３０１  データ制御手段
３０２  蓄積手段
３０３  表示端末制御手段
４００  伝送手段
５００、５１１、５１２  映像出力手段
６００  映像表示手段
７００  映像記録調停端末
７０１  データ制御手段
７０２  蓄積手段
７０３  調停端末制御手段
２１００  従来の映像記録端末
２１０１、２１１１  データ制御手段
２１０２  蓄積手段
【図１】
0004554111.tif 000002
【図２】
0004554111.tif 000003
【図３】
0004554111.tif 000004
【図４】
0004554111.tif 000005
【図５】
0004554111.tif 000006
【図６】
0004554111.tif 000007
【図７】
0004554111.tif 000008
【図８】
0004554111.tif 000009
【図９】
0004554111.tif 000010
【図１０】
0004554111.tif 000011
【図１１】
0004554111.tif 000012
【図１２】
0004554111.tif 000013
【図１３】
0004554111.tif 000014
【図１４】
0004554111.tif 000015
【図１５】
0004554111.tif 000016
【図１６】
0004554111.tif 000017
【図１７】
0004554111.tif 000018
【図１８】
0004554111.tif 000019
【図１９】
0004554111.tif 000020
【図２０】
0004554111.tif 000021
【図２１】
0004554111.tif 000022
【図２２】
0004554111.tif 000023